(57)【特許請求の範囲】
【請求項１】
ユーザ機器によって、ゲートウェイユーザプレーンの通信アドレスを取得し、前記通信アドレスを用いることにより、前記ゲートウェイユーザプレーンへの通信リンクを確立する段階と、
前記ユーザ機器によって、前記通信リンクを用いることにより、前記ゲートウェイユーザプレーンへセッション接続作成要求メッセージを送信する段階であって、前記セッション接続作成要求メッセージは、前記ユーザ機器のゲートウェイ端末モジュールの認証情報を含み、前記ユーザ機器の前記ゲートウェイ端末モジュールの前記認証情報は、ゲートウェイ制御プレーンが、認証サーバに対し、前記ユーザ機器の前記ゲートウェイ端末モジュールへの認証の実行を要求することをトリガすべく、前記ゲートウェイユーザプレーンによって用いられる、段階と、
前記ユーザ機器によって、前記通信リンクを用いることにより、前記ゲートウェイユーザプレーンによって送信されたセッション接続作成応答メッセージを受信する段階であって、前記セッション接続作成応答メッセージは、認証結果を含む、段階と、
前記認証結果が、前記認証が成功したというものである場合、前記ユーザ機器によって、前記ゲートウェイユーザプレーンによって前記通信リンクを用いることにより送信されたサービスポリシー情報に基づき、サービス管理を実行する段階と、を備える、サービス管理方法。
【請求項２】
前記サービスポリシー情報は、少なくとも１つの現在のネットワークスライス接続ポリシーを含み、前記少なくとも１つの現在のネットワークスライス接続ポリシーは、少なくとも１つの元のネットワークスライス接続ポリシーまたは少なくとも１つの更新されたネットワークスライス接続ポリシーであり、ネットワークスライス接続ポリシーは、アプリケーション識別子と、ネットワークスライスとの間のセッション接続関係を示すべく用いられ、
前記ユーザ機器によって、前記ゲートウェイユーザプレーンによって前記通信リンクを用いることにより送信されたサービスポリシー情報に基づき、サービス管理を前記実行する段階は、
前記ユーザ機器によって、現在のアプリケーションのアプリケーション識別子を取得する段階と、
前記ユーザ機器によって、前記現在のアプリケーションの前記アプリケーション識別子に対応するネットワークスライスを求めて、前記ゲートウェイユーザプレーンによって前記通信リンクを用いることにより送信された前記少なくとも１つの現在のネットワークスライス接続ポリシーを検索する段階と、
前記ユーザ機器によって、セッション接続を確立し、見つかった前記ネットワークスライスに基づき、サービスアクセスを実行する段階と、を含む、請求項１に記載の方法。
【請求項３】
前記少なくとも１つの現在のネットワークスライス接続ポリシーは、前記少なくとも１つの更新されたネットワークスライス接続ポリシーであり、
前記ユーザ機器によって、前記ゲートウェイユーザプレーンによって前記通信リンクを用いることにより送信されたサービスポリシー情報に基づき、サービス管理を前記実行する段階の前に、前記方法は、さらに、
前記ユーザ機器によって、前記通信リンクを用いることにより、セッション接続更新応答メッセージを前記ゲートウェイユーザプレーンに送信する段階を含み、前記セッション接続更新応答メッセージは、前記ユーザ機器が、前記少なくとも１つの元のネットワークスライス接続ポリシーを更新したことを示すべく用いられる、請求項２に記載の方法。
【請求項４】
前記サービスポリシー情報は、少なくとも１つのサービス課金および制御ポリシーを含み、サービス課金および制御ポリシーは、アプリケーション識別子と、課金および制御ポリシーとの間の対応関係を示すべく用いられ、
前記ユーザ機器によって、前記ゲートウェイユーザプレーンによって前記通信リンクを用いることにより送信されたサービスポリシー情報に基づき、サービス管理を前記実行する段階は、
前記ユーザ機器によって、データサービスにアクセスする現在のアプリケーションのアプリケーション識別子を取得する段階と、
前記ユーザ機器によって、前記現在のアプリケーションの前記アプリケーション識別子に対応する課金および制御ポリシーを求めて、前記ゲートウェイユーザプレーンによって前記通信リンクを用いることにより送信された前記少なくとも１つのサービス課金および制御ポリシーを検索する段階と、
前記ユーザ機器によって、データトラフィックに関する統計を収集し、見つかった前記課金および制御ポリシーに基づき、アクセス制御を実行する段階と、を含む、請求項１から３のいずれか一項に記載の方法。
【請求項５】
前記ユーザ機器によって、前記ゲートウェイユーザプレーンによって、前記通信リンクを用いることにより送信されたサービスポリシー情報に基づき、サービス管理を前記実行する段階の後、前記方法は、さらに、
前記ユーザ機器によって、前記通信リンクを用いることにより、利用状況レポート要求メッセージを前記ゲートウェイユーザプレーンに定期的に送信する段階であって、前記利用状況レポート要求メッセージは、前記ユーザ機器の機能属性情報と、アプリケーションのトラフィック利用状況に関する統計を含み、前記利用状況レポート要求メッセージは、前記ゲートウェイユーザプレーンに対し、オンラインまたはオフラインコール詳細記録を生成すること、および、利用状況レポート確認メッセージをフィードバックすることを要求すべく用いられ、前記利用状況レポート確認メッセージは、前記ゲートウェイユーザプレーンが、アプリケーションのトラフィック利用状況に関する前記統計を確認したことを示すべく用いられる、段階を備える、請求項４に記載の方法。
【請求項６】
前記ユーザ機器によって、ゲートウェイユーザプレーンの通信アドレスを前記取得する段階は、
前記ユーザ機器によって、アクセスネットワークゲートウェイによって送信されたアタッチ応答メッセージに基づき、前記ゲートウェイユーザプレーンの前記通信アドレスを取得する段階であって、前記アタッチ応答メッセージは、前記ゲートウェイユーザプレーンの前記通信アドレスを含む、段階、または、
前記ユーザ機器によって、前記ユーザ機器の事前構成情報に基づき、前記ゲートウェイユーザプレーンの前記通信アドレスを取得する段階、または、
前記ユーザ機器によって、ユーザによって選択された構成態様における前記ゲートウェイユーザプレーンの前記通信アドレスを取得する段階、を含む、請求項１から５のいずれか一項に記載の方法。
【請求項７】
ユーザ機器によって、前記通信アドレスを用いることにより、前記ゲートウェイユーザプレーンへの通信リンクを前記確立する段階の前に、前記方法は、さらに、
前記ユーザ機器によって、前記ユーザ機器の前記ゲートウェイ端末モジュール、前記ユーザ機器の権利、およびネットワーク稼働環境が、事前設定条件を満たすかどうかを検出する段階と、
検出結果が肯定的である場合、前記ユーザ機器によって、前記通信アドレスを用いることにより、前記ゲートウェイユーザプレーンへの通信リンクを確立する前記段階を実行する段階と、を含む、請求項１から６のいずれか一項に記載の方法。
【請求項８】
プロセッサおよび送受信機を備えるユーザ機器であって、
前記プロセッサは、ゲートウェイユーザプレーンの通信アドレスを取得し、前記通信アドレスを用いることにより、前記ゲートウェイユーザプレーンへの通信リンクを確立するように構成されており、
前記送受信機は、前記通信リンクを用いることにより、セッション接続作成要求メッセージを前記ゲートウェイユーザプレーンに送信するように構成されており、前記セッション接続作成要求メッセージは、前記ユーザ機器のゲートウェイ端末モジュールの認証情報を含み、前記ユーザ機器の前記ゲートウェイ端末モジュールの前記認証情報は、ゲートウェイ制御プレーンが、認証サーバに対し、前記ユーザ機器の前記ゲートウェイ端末モジュールへの認証の実行を要求することをトリガすべく、前記ゲートウェイユーザプレーンによって用いられ、
前記送受信機は、さらに、前記通信リンクを用いることにより、前記ゲートウェイユーザプレーンによって送信されたセッション接続作成応答メッセージを受信するように構成されており、前記セッション接続作成応答メッセージは、認証結果を含み、
前記認証結果が前記認証が成功したというものである場合、前記プロセッサは、さらに、前記ゲートウェイユーザプレーンによって前記通信リンクを用いることにより送信されたサービスポリシー情報に基づき、サービス管理を実行するように構成されている、ユーザ機器。
【請求項９】
前記サービスポリシー情報は、少なくとも１つの現在のネットワークスライス接続ポリシーを含み、前記少なくとも１つの現在のネットワークスライス接続ポリシーは、少なくとも１つの元のネットワークスライス接続ポリシーまたは少なくとも１つの更新されたネットワークスライス接続ポリシーであり、ネットワークスライス接続ポリシーは、アプリケーション識別子と、ネットワークスライスとの間のセッション接続関係を示すべく用いられ、
前記プロセッサは、現在のアプリケーションのアプリケーション識別子を取得し、前記現在のアプリケーションの前記アプリケーション識別子に対応するネットワークスライスを求めて、前記ゲートウェイユーザプレーンによって前記通信リンクを用いることにより送信された前記少なくとも１つの現在のネットワークスライス接続ポリシーを検索し、および、セッション接続を確立し、見つかった前記ネットワークスライスに基づき、サービスアクセスを実行する、ように構成されている、請求項８に記載のユーザ機器。
【請求項１０】
前記少なくとも１つの現在のネットワークスライス接続ポリシーは、前記少なくとも１つの更新されたネットワークスライス接続ポリシーであり、
前記送受信機は、さらに、前記通信リンクを用いることにより、セッション接続更新応答メッセージを前記ゲートウェイユーザプレーンに送信するように構成されており、前記セッション接続更新応答メッセージは、前記ユーザ機器が前記少なくとも１つの元のネットワークスライス接続ポリシーを更新したことを示すべく用いられる、請求項９に記載のユーザ機器。
【請求項１１】
前記サービスポリシー情報は、少なくとも１つのサービス課金および制御ポリシーを含み、サービス課金および制御ポリシーは、アプリケーション識別子と、課金および制御ポリシーとの間の対応関係を示すべく用いられ、
前記プロセッサは、データサービスにアクセスする現在のアプリケーションのアプリケーション識別子を取得し、前記現在のアプリケーションの前記アプリケーション識別子に対応する課金および制御ポリシーを求めて、前記ゲートウェイユーザプレーンによって前記通信リンクを用いることにより送信された前記少なくとも１つのサービス課金および制御ポリシーを検索し、および、データトラフィックに関する統計を収集し、見つかった前記課金および制御ポリシーに基づき、アクセス制御を実行する、ように構成されている、請求項８から１０のいずれか一項に記載のユーザ機器。
【請求項１２】
前記送受信機は、さらに、前記通信リンクを用いることにより、利用状況レポート要求メッセージを、前記ゲートウェイユーザプレーンに定期的に送信するように構成されており、前記利用状況レポート要求メッセージは、前記ユーザ機器の機能属性情報と、アプリケーションのトラフィック利用状況に関する統計を含み、
前記利用状況レポート要求メッセージは、前記ゲートウェイユーザプレーンに、オンラインまたはオフラインコール詳細記録を生成すること、および、利用状況レポート確認メッセージをフィードバックすることを要求すべく用いられ、前記利用状況レポート確認メッセージは、前記ゲートウェイユーザプレーンが、アプリケーションのトラフィック利用状況に関する前記統計を確認したことを示すべく用いられる、請求項１１に記載のユーザ機器。
【請求項１３】
前記プロセッサは、
アクセスネットワークゲートウェイによって送信されたアタッチ応答メッセージに基づき、前記ゲートウェイユーザプレーンの前記通信アドレスを取得するように構成されており、前記アタッチ応答メッセージは、前記ゲートウェイユーザプレーンの前記通信アドレスを含んでいる、または、
前記ユーザ機器の事前構成情報に基づき、前記ゲートウェイユーザプレーンの前記通信アドレスを取得するように構成されている、または、
ユーザによって選択された構成態様における前記ゲートウェイユーザプレーンの前記通信アドレスを取得するように構成されている、請求項８に記載のユーザ機器。
【請求項１４】
前記プロセッサは、さらに、前記ユーザ機器の前記ゲートウェイ端末モジュール、前記ユーザ機器の権利、およびネットワーク稼働環境が、事前設定条件を満たすかどうかを検出するように構成されており、
検出結果が肯定的である場合、前記送受信機は、前記通信アドレスを用いることにより、前記ゲートウェイユーザプレーンへの通信リンクを前記確立する段階を実行する、請求項８から１３のいずれか一項に記載のユーザ機器。
【請求項１５】
プロセッサおよび送受信機を備えるゲートウェイユーザプレーンであって、
前記送受信機は、通信リンクを用いることにより、ユーザ機器によって送信されたセッション接続作成要求メッセージを受信するように構成されており、前記セッション接続作成要求メッセージは、前記ユーザ機器のゲートウェイ端末モジュールの認証情報を含み、前記通信リンクは、前記ユーザ機器によって、前記ゲートウェイユーザプレーンの取得された通信アドレスを用いることにより、前記ゲートウェイユーザプレーンへ確立されたリンクであり、
前記送受信機は、さらに、認証要求メッセージをゲートウェイ制御プレーンに送信するように構成されており、前記認証要求メッセージは、前記ユーザ機器の前記ゲートウェイ端末モジュールの前記認証情報を含み、前記認証要求メッセージは、前記ゲートウェイ制御プレーンが、認証サーバに対し、前記ユーザ機器の前記ゲートウェイ端末モジュールへの認証の実行を要求することをトリガすべく用いられ、
前記送受信機は、さらに、前記ゲートウェイ制御プレーンによって送信された認証応答メッセージを受信し、前記通信リンクを用いることにより、セッション接続作成応答メッセージを前記ユーザ機器に送信するように構成されており、前記認証応答メッセージおよび前記セッション接続作成応答メッセージは、認証結果を含み、
前記認証結果が前記認証が成功したというものである場合、前記送受信機は、さらに、前記ゲートウェイ制御プレーンにより送信されたサービスポリシー情報を受信し、前記通信リンクを用いることにより、前記サービスポリシー情報を前記ユーザ機器へ送信するように構成されており、前記サービスポリシー情報は、前記ユーザ機器によって、前記サービスポリシー情報に基づき、サービス管理を実行すべく用いられる、ゲートウェイユーザプレーン。
【請求項１６】
前記サービスポリシー情報は、少なくとも１つの現在のネットワークスライス接続ポリシーを含み、前記少なくとも１つの現在のネットワークスライス接続ポリシーは、少なくとも１つの元のネットワークスライス接続ポリシーまたは少なくとも１つの更新されたネットワークスライス接続ポリシーであり、ネットワークスライス接続ポリシーは、アプリケーション識別子と、ネットワークスライスとの間のセッション接続関係を示すべく用いられる、請求項１５に記載のゲートウェイユーザプレーン。
【請求項１７】
前記少なくとも１つの現在のネットワークスライス接続ポリシーは、前記少なくとも１つの更新されたネットワークスライス接続ポリシーであり、
前記送受信機は、さらに、前記通信リンクを用いることにより、前記ユーザ機器によって送信されたセッション接続更新応答メッセージを受信するように構成されており、前記セッション接続更新応答メッセージは、前記ユーザ機器が前記少なくとも１つの元のネットワークスライス接続ポリシーを更新したことを示すべく用いられる、請求項１６に記載のゲートウェイユーザプレーン。
【請求項１８】
前記サービスポリシー情報は、少なくとも１つのサービス課金および制御ポリシーを含み、サービス課金および制御ポリシーは、アプリケーション識別子と、課金および制御ポリシーとの間の対応関係を示すべく用いられる、請求項１５から１７のいずれか一項に記載のゲートウェイユーザプレーン。
【請求項１９】
前記送受信機は、さらに、前記通信リンクを用いることにより、前記ユーザ機器によって定期的に送信される利用状況レポート要求メッセージを受信するように構成されており、前記利用状況レポート要求メッセージは、前記ユーザ機器の機能属性情報およびアプリケーションのトラフィック利用状況に関する統計を含み、
前記プロセッサは、前記利用状況レポート要求メッセージに基づき、オンラインまたはオフラインコール詳細記録を生成し、前記通信リンクを用いることにより、前記ユーザ機器へ利用状況レポート確認メッセージをフィードバックするように構成されており、前記利用状況レポート確認メッセージは、前記ゲートウェイユーザプレーンが、アプリケーションのトラフィック利用状況に関する前記統計を確認したことを示すべく用いられる、請求項１８に記載のゲートウェイユーザプレーン。
【請求項２０】
前記セッション接続作成要求メッセージは、さらに、前記ユーザ機器の機能属性情報を含み、前記ユーザ機器の前記機能属性情報は、ＭＳＩＳＤＮおよびＩＭＳＩを含む、請求項１５から１９のいずれか一項に記載のゲートウェイユーザプレーン。
【請求項２１】
コンピュータに、請求項１から７のいずれか一項に記載の方法を実行させるための、コンピュータプログラム。
【発明の詳細な説明】
【技術分野】
【０００１】
本願は、２０１７年２月２８日に中国特許庁に出願された、発明の名称「サービス管理方法およびその装置」という中国特許出願第201710113550.8号に基づく優先権を主張し、当該出願は、参照により本明細書にその全体が援用される。
【０００２】
本発明は、通信技術の分野に関し、具体的には、サービス管理方法およびその装置に関する。
【背景技術】
【０００３】
モバイルブロードバンドネットワーク上でのディープパケットインスペクション（Deep Packet Inspection, DPI）に基づくサービス認識能力が、サービスに対するますます増加する数の制御および課金要件を呈するにつれ、ゲートウェイ汎用パケット無線サービス（General Packet Radio Service, GPRS）サポートノード（Gateway GPRS Support Node, GGSN）、パケットデータネットワークゲートウェイ（Packet Data Network Gateway, PGW）またはトラフィック検出機能（Traffic Detection Function, TDF）等のパケットコアネットワークデバイスは、パケットコアネットワークデバイスのＤＰＩ機能、コンテンツ課金機能、およびサービス制御機能を用いて、サービスフローを認識、課金および制御する必要があり、またサービスフローパスおよびベアラを選択する機能もサポートする。
【０００４】
ＰＧＷは、進化型パケットコア（Evolved Packet Core, EPC）ネットワークにおける機能エンティティであり、第三世代パートナーシッププロジェクト（3rd Generation Partnership Project, 3GPP）アクセスネットワークと、非３ＧＰＰアクセスネットワークとの間のユーザプレーンアンカーであり、および、ＥＰＣコアネットワークパケット切り替えドメインが、外部のパケットデータネットワーク（Packet Data Network, PDN）に接続され、且つ、サービスデータフローを検出し、課金および制御ポリシーを強制するように構成されているインタフェースである。第４世代移動通信（4th-Generation, 4G）ネットワークおよび第３世代移動通信（3rd-Generation, 3G）ネットワークにおいては、ＰＧＷは、ポリシーおよび課金強制機能（Policy and Charging Enforcement Function, PCEF）として機能してよく、ＧＸインタフェースを通して、ポリシーおよび課金ルール機能（Policy and Charging Rules Function, PCRF）に接続される。
【０００５】
ＧＧＳＮは、第２世代移動通信（2nd-Generation, 2G）ネットワークにおいて、ＰＣＥＦとして機能してよい
【０００６】
２Ｇ／３Ｇ／４Ｇネットワークアーキテクチャにおいて、ＰＣＥＦは、基本的なポリシーおよび課金制御（Policy and Charging Control, PCC）機能をサポートし、ＰＣＲＦによって供給されたポリシーを用いて、ポリシーおよび課金制御を実装する。ＰＣＥＦは、ＰＣＲＦまたは認証、認可およびアカウンティング（Authentication, Authorization and Accounting, AAA）サーバによって供給されるポリシーまたはローカルで構成されたポリシーをサポートし、サービスフローデータ検出、ポリシー強制およびフローベースの課金処理を担う。
【０００７】
図１ａは、２Ｇ／３Ｇ／４Ｇネットワークアーキテクチャにおけるゲートウェイデバイスの配置の概略図である。すべてのサービスの認識、ポリシーマッチング並びに課金および制御ポリシー強制等のサービス管理は、ＰＧＷ／ＧＧＳＮで完了される。ネットワーク全体の機能分割処理中、ユーザ機器（User Equipment, UE）は、シグナリングメッセージを用いて、コアネットワークの制御プレーンデバイスによって供給されるトラフィックフローテンプレート（Traffic Flow Template, TFT）、ベアラレベル識別子およびクオリティオブサービス（Quality of Service, QoS）等の関連情報のみをサポートして、上りサービスフローのベアラを選択し、ＱｏＳポリシーを実装する。
【０００８】
図１ｂは、ユーザプレーンが制御プレーンから分離された状態のネットワーク構造（例えば、第５世代移動通信（5th-Generation, 5G）ネットワークアーキテクチャ）における、ゲートウェイデバイスの配置の概略図である。中央集権型ゲートウェイがバックボーンネットワークに配置され、サービングゲートウェイ（Serving Gateway, SGW）およびＰＧＷの制御プレーンの機能、例えば、基地局間でのモバイルシグナリングプレーンアンカーの切り替え、オペレータ間ローミングの課金、アクセスシグナリングの処理、専用ベアラ作成シグナリングの処理、アドレスプールの割り当て、およびユーザアクセス認証の制御等が含まれる。分散型ゲートウェイが、メトロポリタンコアネットワーク内に配置され、ＳＧＷおよびＰＧＷのユーザプレーンの機能、例えば、基地局間でのモバイルデータ記述の切り替え、ユーザデータの転送、ユーザ課金情報の収集、課金および制御ポリシーの強制およびサービスＤＰＩの処理等が含まれる。中央集権型ゲートウェイおよび分散型ゲートウェイは共同して、サービングゲートウェイ（Serving Gateway, SGW）／ＰＧＷの機能を完了する。５Ｇネットワークアーキテクチャが、ユーザプレーンと制御プレーンとの間に分離を実装する場合であっても、ＵＥは、依然として、サービス認識、ポリシーマッチング並びに課金および制御ポリシー強制にも、ネットワークスライシングシナリオにおける動的スライス選択ポリシーにも参加しない。
【０００９】
新しいアプリケーションおよびサービスシナリオの出現に伴い、ＵＥのタイプ、サポート可能なサービスシナリオ、サーバ側の暗号化送信能力等のすべてが飛躍的に開発されている。現在のネットワークアーキテクチャにおいては、コアネットワークゲートウェイデバイスで、サービス管理を完了することがより難しい。
【発明の概要】
【００１０】
本発明の実施形態は、ユーザ機器が、サービス管理を実行し、ユーザ機器の参加レベルを上げることが可能で、ユーザ機器のサービス管理能力が向上可能となるようなサービス管理方法およびその装置を提供する。
【００１１】
本発明の実施形態の第１の態様は、サービス管理方法を提供し、当該方法は、ユーザ機器によって、ゲートウェイユーザプレーンの通信アドレスを取得し、通信アドレスを用いることにより、ゲートウェイユーザプレーンへの通信リンクを確立する段階と、
ユーザ機器によって、通信リンクを用いることにより、ゲートウェイユーザプレーンへセッション接続作成要求メッセージを送信する段階であって、セッション接続作成要求メッセージは、ユーザ機器のゲートウェイ端末モジュールの認証情報を含み、ユーザ機器のゲートウェイ端末モジュールの認証情報は、ゲートウェイ制御プレーンが、認証サーバに対し、ユーザ機器のゲートウェイ端末モジュールへの認証の実行を要求することをトリガすべく、ゲートウェイユーザプレーンによって用いられる、段階と、
ユーザ機器によって、通信リンクを用いることにより、ゲートウェイユーザプレーンによって送信されたセッション接続作成応答メッセージを受信する段階であって、セッション接続作成応答メッセージは、認証結果を含む、段階と、
認証結果が、認証が成功したというものである場合、ユーザ機器によって、ゲートウェイユーザプレーンによって通信リンクを用いることにより送信されたサービスポリシー情報に基づき、サービス管理を実行する段階と、を備える。
【００１２】
本発明の実施形態の第１の態様によると、ユーザ機器は、ゲートウェイユーザプレーンの通信アドレスを用いることにより、ゲートウェイユーザプレーンへの通信リンクを確立し、その結果、認証成功時に、ユーザ機器は、ゲートウェイユーザプレーンによって送信されたサービスポリシー情報に基づき、サービス管理を実行し、従って、ユーザ機器は、サービス管理を実行し、ユーザ機器の参加レベルが上げられることが可能になり、および、ユーザ機器のサービス管理能力を向上させることが可能になる。
【００１３】
可能な実装において、ユーザ機器のゲートウェイ端末モジュールの認証情報は、ユーザ機器のゲートウェイ端末モジュールの識別子およびキーワード情報等の情報を含み、当該認証情報は、ユーザ機器のゲートウェイ端末モジュールへの認証を実行すべく、認証サーバによって用いられる。
【００１４】
可能な実装において、サービスポリシー情報は、少なくとも１つの現在のネットワークスライス接続ポリシーを含み、少なくとも１つの現在のネットワークスライス接続ポリシーは、少なくとも１つの元のネットワークスライス接続ポリシーまたは少なくとも１つの更新されたネットワークスライス接続ポリシーであり、ネットワークスライス接続ポリシーは、アプリケーション識別子と、ネットワークスライスとの間のセッション接続関係を示すべく用いられ、
ユーザ機器によって、ゲートウェイユーザプレーンによって通信リンクを用いることにより送信されたサービスポリシー情報に基づき、サービス管理を実行するプロセスは、以下の通りである。すなわち、
ユーザ機器によって、現在のアプリケーションのアプリケーション識別子を取得する段階と、
ユーザ機器によって、現在のアプリケーションのアプリケーション識別子に対応するネットワークスライスを求めて、ゲートウェイユーザプレーンによって通信リンクを用いることにより送信された少なくとも１つの現在のネットワークスライス接続ポリシーを検索する段階と、
ユーザ機器によって、セッション接続を確立し、見つかったネットワークスライスに基づき、サービスアクセスを実行する段階と、である。
【００１５】
可能な実装において、ユーザ機器は、セッション接続およびサービスアクセスを実行すべく、ネットワークスライスを独立的に選択してよく、これにより、コアネットワークデバイスの処理圧力を低減させ、ユーザ機器の処理能力を改善する。
【００１６】
可能な実装において、少なくとも１つの現在のネットワークスライス接続ポリシーは、少なくとも１つの更新されたネットワークスライス接続ポリシーであり、
ユーザ機器によって、ゲートウェイユーザプレーンによって通信リンクを用いることにより送信されたサービスポリシー情報に基づき、サービス管理を実行する段階の前に、ユーザ機器は、通信リンクを用いることにより、セッション接続更新応答メッセージをゲートウェイユーザプレーンに送信し、セッション接続更新応答メッセージは、ユーザ機器が、少なくとも１つの元のネットワークスライス接続ポリシーを更新したことを示すべく用いられ、その結果、ゲートウェイユーザプレーンは、ユーザ機器の更新ステータスを認識する。
【００１７】
可能な実装において、サービスポリシー情報は、少なくとも１つのサービス課金および制御ポリシーを含み、サービス課金および制御ポリシーは、アプリケーション識別子と、課金および制御ポリシーとの間の対応関係を示すべく用いられ、
ユーザ機器によって、ゲートウェイユーザプレーンによって通信リンクを用いることにより送信されたサービスポリシー情報に基づき、サービス管理を実行するプロセスは、以下の通りである。すなわち、
ユーザ機器によって、データサービスにアクセスする現在のアプリケーションのアプリケーション識別子を取得する段階と、
ユーザ機器によって、現在のアプリケーションのアプリケーション識別子に対応する課金および制御ポリシーを求めて、ゲートウェイユーザプレーンによって通信リンクを用いることにより送信された少なくとも１つのサービス課金および制御ポリシーを検索する段階と、
ユーザ機器によって、データトラフィックに関する統計を収集し、見つかった課金および制御ポリシーに基づき、アクセス制御を実行する段階と、である。
【００１８】
可能な実装において、ユーザ機器は、現在のアプリケーションのデータトラフィックに関する統計を収集し、アクセス制御を実行し、これにより、ユーザ機器の参加レベルを上げ、ユーザ機器の処理能力を向上させる。
【００１９】
可能な実装において、ゲートウェイユーザプレーンによって、通信リンクを用いることにより送信されたサービスポリシー情報に基づき、サービス管理を実行する段階の後、ユーザ機器は、通信リンクを用いることにより、利用状況レポート要求メッセージをゲートウェイユーザプレーンに定期的に送信し、利用状況レポート要求メッセージは、ユーザ機器の機能属性情報と、アプリケーションのトラフィック利用状況に関する統計を含み、利用状況レポート要求メッセージは、ゲートウェイユーザプレーンに対し利用状況を通知すべく用いられ、且つ、ゲートウェイユーザプレーンに対し、オンラインまたはオフラインコール詳細記録を生成すること、および、利用状況レポート確認メッセージをフィードバックすることを要求すべく用いられ、利用状況レポート確認メッセージは、ゲートウェイユーザプレーンが、アプリケーションのトラフィック利用状況に関する統計を確認したことを示すべく用いられる。
【００２０】
可能な実装において、ユーザ機器は、アクセスネットワークゲートウェイによって送信されたアタッチ応答メッセージに基づき、ゲートウェイユーザプレーンの通信アドレスを取得し、アタッチ応答メッセージは、ゲートウェイユーザプレーンの通信アドレスを含む。通信アドレスは、要求を特別に送信することなく、アタッチ応答メッセージに基づき取得され、実装は簡易且つ便利である。
【００２１】
可能な実装において、ユーザ機器は、ユーザ機器の事前構成情報に基づき、ゲートウェイユーザプレーンの通信アドレスを取得し、事前構成情報は、オペレータによって、ユーザ機器がカスタマイズされるときに構成されてよく、事前構成情報に基づき通信アドレスを取得することによって、既存のアクティベーション手順は変更されない。
【００２２】
可能な実装において、ユーザ機器は、ユーザによって選択された構成態様におけるゲートウェイユーザプレーンの通信アドレスを取得する。換言すると、手動構成により、ユーザ機器により通信アドレスを取得することによって、既存のアクティベーション手順は変更されない。
【００２３】
可能な実装において、通信アドレスを用いることにより、ゲートウェイユーザプレーンへの通信リンクを確立する段階の前に、ユーザ機器が、ユーザ機器のゲートウェイ端末モジュール、ユーザ機器の権利、およびネットワーク稼働環境が、事前設定条件を満たすかどうかを検出し、検出結果が肯定的である場合、通信アドレスを用いることにより、ゲートウェイユーザプレーンへの通信リンクを確立する。通信リンクのセキュリティを保証すべく、ユーザ機器が通信リンクを確立可能かどうかは、事前設定条件に基づき判断される。
【００２４】
可能な実装において、セッション接続作成要求メッセージは、さらに、ユーザ機器の機能属性情報を含み、ユーザ機器の機能属性情報は、移動局統合サービスデジタルネットワーク番号（MSISDN）および国際モバイルサブスクライバ識別情報（IMSI）を含み、MSISDNおよびIMSIは、ユーザ機器を識別するために用いられる。
【００２５】
可能な実装において、接続セッション作成応答メッセージは、さらに、ユーザ機器を認証結果に関連付けるためのユーザ機器の機能属性情報を含む。
【００２６】
可能な実装において、ユーザプレーンデバイスのゲートウェイ端末モジュールの認証情報、認証結果、サービスポリシー情報、ユーザ機器の機能属性情報およびアプリケーションのトラフィック利用状況に関する統計は、通信リンク上で暗号化態様で送信され、これにより、送信内容が、改ざんされることを防ぎ、送信セキュリティを保証する。
【００２７】
本発明の実施形態の第２の態様は、サービス管理方法を提供し、当該サービス管理方法は、
ゲートウェイユーザプレーンによって、通信リンクを用いることにより、ユーザ機器によって送信されたセッション接続作成要求メッセージを受信する段階であって、セッション接続作成要求メッセージは、ユーザ機器のゲートウェイ端末モジュールの認証情報を含み、通信リンクは、ユーザ機器によって、ゲートウェイユーザプレーンの取得された通信アドレスを用いることにより、ゲートウェイユーザプレーンへ確立されたリンクである、段階と、
ゲートウェイユーザプレーンによって、認証要求メッセージをゲートウェイ制御プレーンに送信する段階であって、認証要求メッセージは、ユーザ機器のゲートウェイ端末モジュールの認証情報を含み、認証要求メッセージは、ゲートウェイ制御プレーンが、認証サーバに対し、ユーザ機器のゲートウェイ端末モジュールへの認証の実行を要求することをトリガすべく用いられる、段階と、
ゲートウェイユーザプレーンによって、ゲートウェイ制御プレーンによって送信された認証応答メッセージを受信し、通信リンクを用いることにより、セッション接続作成応答メッセージをユーザ機器に送信する段階であって、認証応答メッセージおよびセッション接続作成応答メッセージは、認証結果を含む、段階と、
認証結果が認証が成功したというものである場合、ゲートウェイユーザプレーンによって、ゲートウェイ制御プレーンにより送信されたサービスポリシー情報を受信し、通信リンクも用いることにより、サービスポリシー情報をユーザ機器へ送信する段階であって、サービスポリシー情報は、ユーザ機器によって、サービスポリシー情報に基づき、サービス管理を実行すべく用いられる、段階と、を備える。
【００２８】
本発明の実施形態の第２の態様によると、ユーザ機器が認証されると、サービスポリシー情報が、ユーザ機器へと確立された通信リンクを用いることにより、ユーザ機器へ送信され、ユーザ機器は、サービスポリシー情報に基づきサービス管理を実行し、その結果、コアネットワークデバイスのサービス管理圧力が低減されてよく、ユーザ機器のサービス管理能力が向上されてよい。
【００２９】
可能な実装において、サービスポリシー情報は、少なくとも１つの現在のネットワークスライス接続ポリシーを含み、少なくとも１つの現在のネットワークスライス接続ポリシーは、少なくとも１つの元のネットワークスライス接続ポリシーまたは少なくとも１つの更新されたネットワークスライス接続ポリシーであり、ネットワークスライス接続ポリシーは、アプリケーション識別子と、ネットワークスライスとの間のセッション接続関係を示すべく用いられ、その結果、ユーザ機器は、セッション接続およびサービスアクセスを実行すべく、ネットワークスライスを独立的に選択し、これにより、コアネットワークデバイスの処理圧力を低減し、ユーザ機器の処理能力を向上させる。
【００３０】
可能な実装において、少なくとも１つの現在のネットワークスライス接続ポリシーは、少なくとも１つの更新されたネットワークスライス接続ポリシーであり、ゲートウェイユーザプレーンは、通信リンクを用いることにより、ユーザ機器に送信されるセッション接続更新応答メッセージを受信し、セッション接続更新応答メッセージは、ユーザ機器が、少なくとも１つの元のネットワークスライス接続ポリシーを更新したことを示して、ユーザ機器の更新ステータスを認識すべく用いられる。
【００３１】
可能な実装において、サービスポリシー情報は、少なくとも１つのサービス課金および制御ポリシーを含み、サービス課金および制御ポリシーは、アプリケーション識別子と、課金および制御ポリシーとの間の対応関係を示すべく用いられ、その結果、ユーザ機器は、現在のアプリケーションのデータトラフィックに関する統計を収集し、現在のアプリケーションのデータトラフィックに対しアクセス制御を実行し、これにより、ユーザ機器の参加レベルを上げ、ユーザ機器の処理能力を向上させる。
【００３２】
可能な実装において、ゲートウェイユーザプレーンは、通信リンクを用いることにより、ユーザ機器によって定期的に送信される利用状況レポート要求メッセージを受信し、利用状況レポート要求メッセージは、ユーザ機器の機能属性情報およびアプリケーションのトラフィック利用状況に関する統計を含み、利用状況レポート要求メッセージに基づき、オンラインまたはオフラインコール詳細記録を生成し、通信リンクを用いることにより、ユーザ機器へ利用状況レポート確認メッセージをフィードバックし、利用状況レポート確認メッセージは、ゲートウェイユーザプレーンが、アプリケーションのトラフィック利用状況に関する統計を確認したことを示すべく用いられる。
【００３３】
可能な実装において、セッション接続作成要求メッセージは、さらに、ユーザ機器の機能属性情報を含み、ユーザ機器の機能属性情報は、ＭＳＩＳＤＮおよびＩＭＳＩを含み、ＭＳＩＳＤＮおよびＩＭＳＩは、ユーザ機器を識別すべく用いられる。
【００３４】
可能な実装において、認証応答メッセージおよび接続セッション作成応答メッセージは、さらに、ユーザ機器を認証結果に関連付けるためのユーザ機器の機能属性情報を含む。
【００３５】
可能な実装において、ユーザプレーンデバイスのゲートウェイ端末モジュールの認証情報、認証結果、サービスポリシー情報、ユーザ機器の機能属性情報およびアプリケーションのトラフィック利用状況に関する統計は、通信リンク上で暗号化態様で送信され、これにより、送信内容が、改ざんされることを防ぎ、送信セキュリティを保証する。
【００３６】
本発明の実施形態の第３の態様は、ユーザ機器を提供し、当該ユーザ機器は、
ゲートウェイユーザプレーンの通信アドレスを取得するように構成された取得ユニットと、
通信アドレスを用いることにより、ゲートウェイユーザプレーンへ通信リンクを確立するように構成された確立ユニットと、
通信リンクを用いることにより、ゲートウェイユーザプレーンへセッション接続作成要求メッセージを送信するように構成された送信ユニットであって、セッション接続作成要求メッセージは、ユーザ機器のゲートウェイ端末モジュールの認証情報を含み、ユーザ機器のゲートウェイ端末モジュールの認証情報は、ゲートウェイ制御プレーンが、認証サーバに対し、ユーザ機器のゲートウェイ端末モジュールへの認証の実行を要求することをトリガすべく、ゲートウェイユーザプレーンによって用いられる、送信ユニットと、
通信リンクを用いることにより、ゲートウェイユーザプレーンによって送信されたセッション接続作成応答メッセージを受信するように構成された受信ユニットであって、セッション接続作成応答メッセージは、認証結果を含む、受信ユニットと、
認証結果が、認証が成功したというものである場合、ゲートウェイユーザプレーンによって通信リンクを用いることにより送信されたサービスポリシー情報に基づき、サービス管理を実行するように構成された管理ユニットと、を備える。
【００３７】
本発明の実施形態に係る第３の態様で提供されるユーザ機器は、本発明の実施形態に係る第１の態様で提供されるサービス管理方法において、ユーザ機器によって実行される機能を実装するように構成されている。
【００３８】
本発明の実施形態の第４の態様は、ゲートウェイユーザプレーンを提供し、当該ゲートウェイユーザプレーンは、通信リンクを用いることにより、ユーザ機器によって送信されたセッション接続作成要求メッセージを受信するように構成された受信ユニットであって、セッション接続作成要求メッセージは、ユーザ機器のゲートウェイ端末モジュールの認証情報を含み、通信リンクは、ユーザ機器によって、ゲートウェイユーザプレーンの取得された通信アドレスを用いることによりゲートウェイユーザプレーンへ確立されたリンクである、受信ユニットと、
認証要求メッセージをゲートウェイ制御プレーンへ送信するように構成された送信ユニットであって、認証要求メッセージは、ユーザ機器のゲートウェイ端末モジュールの認証情報を含み、認証要求メッセージは、ゲートウェイ制御プレーンが、認証サーバに対し、ユーザ機器のゲートウェイ端末モジュールへの認証の実行を要求することをトリガすべく用いられる、送信ユニットと、を備え、
受信ユニットは、さらに、ゲートウェイ制御プレーンによって送信された認証応答メッセージを受信するように構成されており、
送信ユニットは、さらに、通信リンクを用いることにより、セッション接続作成応答メッセージをユーザ機器に送信するように構成されており、認証応答メッセージおよびセッション接続作成応答メッセージは認証結果を含み、
受信ユニットは、さらに、認証結果が、認証が成功したというものである場合、ゲートウェイ制御プレーンによって送信されたサービスポリシー情報を受信するように構成されており、
送信ユニットは、さらに、通信リンクを用いることにより、サービスポリシー情報をユーザ機器に送信するように構成されており、サービスポリシー情報は、サービスポリシー情報に基づき、サービス管理を実行すべく、ユーザ機器によって用いられる。
【００３９】
本発明の実施形態に係る第４の態様において提供されるゲートウェイユーザプレーンは、本発明の実施形態に係る第２の態様において提供されるサービス管理方法において、ゲートウェイユーザプレーンによって実行される機能を実装するように構成されている。
【００４０】
本発明の実施形態の第５の態様は、別のユーザ機器を提供し、当該ユーザ機器は、プロセッサおよび送受信機を備え、
プロセッサは、ゲートウェイユーザプレーンの通信アドレスを取得し、通信アドレスを用いることにより、ゲートウェイユーザプレーンへの通信リンクを確立するように構成されており、
送受信機は、通信リンクを用いることにより、セッション接続作成要求メッセージをゲートウェイユーザプレーンに送信するように構成されており、セッション接続作成要求メッセージは、ユーザ機器のゲートウェイ端末モジュールの認証情報を含み、ユーザ機器のゲートウェイ端末モジュールの認証情報は、ゲートウェイ制御プレーンが、認証サーバに対し、ユーザ機器のゲートウェイ端末モジュールへの認証の実行を要求することをトリガすべく、ゲートウェイユーザプレーンによって用いられ、
送受信機は、さらに、通信リンクを用いることにより、ゲートウェイユーザプレーンによって送信されたセッション接続作成応答メッセージを受信するように構成されており、セッション接続作成応答メッセージは、認証結果を含み、
認証結果が認証が成功したというものである場合、プロセッサは、さらに、ゲートウェイユーザプレーンによって通信リンクを用いることにより送信されたサービスポリシー情報に基づき、サービス管理を実行するように構成されている。
【００４１】
本発明の実施形態に係る第５の態様で提供されるユーザ機器は、本発明の実施形態に係る第１の態様で提供されるサービス管理方法において、ユーザ機器によって実行される機能を実装するように構成されている。
【００４２】
本発明の実施形態の第６の態様は、別のゲートウェイユーザプレーンを提供し、当該ゲートウェイユーザプレーンは、プロセッサおよび送受信機を備え、
送受信機は、通信リンクを用いることにより、ユーザ機器によって送信されたセッション接続作成要求メッセージを受信するように構成されており、セッション接続作成要求メッセージは、ユーザ機器のゲートウェイ端末モジュールの認証情報を含み、通信リンクは、ユーザ機器によって、ゲートウェイユーザプレーンの取得された通信アドレスを用いることにより、ゲートウェイユーザプレーンへ確立されたリンクであり、
送受信機は、さらに、認証要求メッセージをゲートウェイ制御プレーンに送信するように構成されており、認証要求メッセージは、ユーザ機器のゲートウェイ端末モジュールの認証情報を含み、認証要求メッセージは、ゲートウェイ制御プレーンが、認証サーバに対し、ユーザ機器のゲートウェイ端末モジュールへの認証の実行を要求することをトリガすべく用いられ、
送受信機は、さらに、ゲートウェイ制御プレーンによって送信された認証応答メッセージを受信し、通信リンクを用いることにより、セッション接続作成応答メッセージをユーザ機器に送信するように構成されており、認証応答メッセージおよびセッション接続作成応答メッセージは、認証結果を含み、
認証結果が認証が成功したというものである場合、送受信機は、さらに、ゲートウェイ制御プレーンにより送信されたサービスポリシー情報を受信し、通信リンクを用いることにより、サービスポリシー情報をユーザ機器へ送信するように構成されており、サービスポリシー情報は、ユーザ機器によって、サービスポリシー情報に基づき、サービス管理を実行すべく用いられる。
【００４３】
本発明の実施形態に係る第６の態様において提供されるゲートウェイユーザプレーンは、本発明の実施形態に係る第２の態様において提供されるサービス管理方法において、ゲートウェイユーザプレーンによって実行される機能を実装するように構成されている。
【００４４】
本発明の実施形態において、ユーザ機器は、ゲートウェイユーザプレーンの通信アドレスを取得し、ゲートウェイユーザプレーンへの通信リンクを確立し、通信リンクを用いて、ゲートウェイユーザプレーンに対し、ユーザ機器のゲートウェイ端末モジュールの認証情報を保持するセッション接続作成要求メッセージを送信する。セッション接続作成要求メッセージを受信すると、ゲートウェイユーザプレーンは、認証要求メッセージをゲートウェイ制御プレーンに送信し、認証要求メッセージは、ゲートウェイ制御プレーンが、認証サーバに対し、ユーザ機器のゲートウェイ端末モジュールに認証を実行することを要求するようにトリガすべく用いられる。認証サーバは、ユーザ機器のゲートウェイ端末モジュールに認証を実行し、認証結果をゲートウェイ制御プレーンにフィードバックする。認証結果を受信すると、ゲートウェイ制御プレーンは、認証結果を認証応答メッセージに追加し、認証応答メッセージをゲートウェイユーザプレーンに送信し、ゲートウェイユーザプレーンは、認証結果をセッション接続作成応答メッセージに追加し、セッション接続作成応答メッセージを、ユーザ機器に送信する。認証結果が、認証が成功したというものである場合、ゲートウェイ制御プレーンは、サービスポリシー情報をゲートウェイユーザプレーンに送信し、ゲートウェイユーザプレーンは、サービスポリシー情報をユーザ機器に送信し、ユーザ機器はサービスポリシー情報に基づき、サービス管理を実行し、その結果、ユーザ機器は、サービス管理を実行し、ユーザ機器の参加レベルが上げられてよく、ユーザ機器のサービス管理能力が向上されてよい。
【図面の簡単な説明】
【００４５】
本発明の実施形態または背景技術における技術的解決手段をより明確に説明すべく、以下に、本発明の実施形態または背景技術を説明するために必要な添付図面について簡単に説明する。
【００４６】
【図１ａ】２Ｇ／３Ｇ／４Ｇネットワークアーキテクチャにおけるゲートウェイデバイスの配置の概略図である。
【００４７】
【図１ｂ】ユーザプレーンが制御プレーンから分離された状態のネットワーク構造におけるゲートウェイデバイスの配置の概略図である。
【００４８】
【図２】本発明の一実施形態によるサービス管理システムの概略構造図である。
【００４９】
【図３】本発明の一実施形態によるユーザ機器の概略構造図である。
【００５０】
【図４】本発明の一実施形態によるゲートウェイユーザプレーンの概略構造図である。
【００５１】
【図５Ａ】本発明の実施形態１による、サービス管理方法の概略的通信図である。
【図５Ｂ】本発明の実施形態１による、サービス管理方法の概略的通信図である。
【図５Ｃ】本発明の実施形態１による、サービス管理方法の概略的通信図である。
【００５２】
【図６Ａ】本発明の実施形態２によるサービス管理方法の概略的通信図である。
【図６Ｂ】本発明の実施形態２によるサービス管理方法の概略的通信図である。
【図６Ｃ】本発明の実施形態２によるサービス管理方法の概略的通信図である。
【００５３】
【図７】本発明の実施形態３によるサービス管理方法の概略的通信図である。
【００５４】
【図８Ａ】本発明の実施形態４によるサービス管理方法の概略的通信図である。
【図８Ｂ】本発明の実施形態４によるサービス管理方法の概略的通信図である。
【図８Ｃ】本発明の実施形態４によるサービス管理方法の概略的通信図である。
【００５５】
【図９】本発明の一実施形態による別のユーザ機器の概略構造図である。
【００５６】
【図１０】本発明の一実施形態による別のゲートウェイユーザプレーンの概略構造図である。
【発明を実施するための形態】
【００５７】
以下に、本発明の実施形態の添付図面を参照して、本発明の実施形態について説明する。
【００５８】
図２は、本発明の一実施形態によるサービス管理システムの概略構造図である。サービス管理システムは、ユーザ機器（User Equipment, UE）、無線アクセスネットワーク（Radio Access Network, RAN）、ゲートウェイ制御プレーン、（Gateway Control Plane, GW-C）、ゲートウェイユーザプレーン（Gateway User Plane, GW-U）１、ゲートウェイユーザプレーン２、インターネット（Internet）および拡張現実（Augmented Reality, AR）サーバ（図２中に示された企業）を含む。図２に示された要素の形態および数は、本発明のこの実施形態に対し限定を構成しないことに留意されたい。
【００５９】
ＵＥは、ゲートウェイ端末（Gateway Terminal, GW-T）モジュールを有し、当該モジュールは、データ通信リンクを用いて、ＵＥとＧＷ−Ｕとの間で、認証、ポリシー対話および統計報告等の機能を実装して、コアネットワーク側が、将来のネットワークスライスを動的に展開および選択し、アプリケーションデータサービスに関する統計を収集し、アプリケーションデータサービス、ポリシー制御等を報告するのを補助してよい。
【００６０】
アクセスネットワークは、２Ｇ／３Ｇ／４Ｇネットワークアーキテクチャにおけるアクセスネットワークであってよく、ユーザプレーンが制御プレーンから分離された状態のネットワーク構造におけるアクセスネットワークであってよく、または将来の通信ネットワークアーキテクチャにおけるアクセスネットワークであってよい。
【００６１】
ゲートウェイ制御プレーンは、ゲートウェイ制御プレーン機能エンティティであり、ゲートウェイユーザプレーンは、ゲートウェイユーザプレーン機能エンティティである。ＧＷ−Ｃは、サービングゲートウェイ制御プレーン（Serving Gateway Control Plane, SGW-C）またはパケットデータネットワークゲートウェイ制御プレーン(Packet Data Network Gateway Control Plane, PGW-C)であってよく、さらに、コアネットワークデバイスにおける制御プレーンの機能を統合してよい。例えば、ＧＷ−Ｃは、ＳＧＷおよびＰＧＷの制御プレーンの機能を含んでよい。ＧＷ−Ｕは、サービングゲートウェイユーザプレーン（Serving Gateway User Plane, SGW-U）またはパケットデータネットワークゲートウェイユーザプレーン（Packet Data Network Gateway User Plane, PGW-U）であってよく、さらに、コアネットワークデバイスにおけるユーザプレーンの機能を統合してよい。例えば、ＧＷ−Ｕは、ＳＧＷおよびＰＧＷのユーザプレーンの機能を含んでよい。ＧＷ−ＣおよびＧＷ‐Ｕは、統合態様でまたは分離して配置されてよい。さらに、異なるアプリケーションシナリオにおいては、異なるＧＷ‐Ｕが存在してよい。例えば、図２に示すＧＷ−Ｕ１は、インターネットがアクセスされるシナリオに適用され、ＧＷ−Ｕ２は、ＡＲサービスがアクセスされるシナリオに適用される。
【００６２】
ＡＲは、リアリティに基づくコンテンツを、諸技術を用いて追加することを意味し、それらの中で中核的技術には、リアルオブジェクト識別、地理的場所の特定、異なるシナリオで必要とされるインスタント計算等が含まれる。ＡＲサービスの異なるタイプに対し、異なるＡＲサーバが存在する。
【００６３】
現在、ＵＥは、図２に示す破線１および２を用いてインターネットにアクセスし、破線１は、ＵＥがパブリックネットワークサービスセッションを確立することを表わし、破線２は、ＧＷ−Ｃが、ＧＷ−Ｕ１に、Ｓｘベアラコンテキストを確立するように命令することを表わす。ＵＥは、図２に示す破線６および７を用いてＡＲサービスにアクセスし、破線６は、ＵＥがＡＲサービスセッションを確立することを表わし、破線７は、ＧＷ−Ｃが、ＧＷ−Ｕ２に、Ｓｘベアラコンテキストを確立するように命令することを表わす。Ｓｘは、ＧＷ−ＣおよびＧＷ‐Ｕ間のセッション接続を表わす。現在、ＵＥはＧＷ−ＣおよびＧＷ‐Ｕを用いて、サービスにアクセスする必要があることがわかる。
【００６４】
本発明のこの実施形態においては、ＵＥは、ＧＷ−Ｕへのデータ通信リンクを確立してよい。具体的には、ＵＥのＧＷ‐Ｔモジュールは、ＧＷ−Ｕへのデータ通信リンクを確立してよい。データ通信リンクを確立した後、ＵＥは、ＧＷ−Ｕを用いて、サービスアクセスを直接実行する。図２に示す概略図を参照すると、実線４は、ＵＥが、データ通信リンクを用いて、ＧＷ‐Ｔモジュールで認証を実行する処理を完了することを表わす。実線３は、ＵＥが、ＧＷ−Ｕ１を用いて、インターネットにアクセスすることを表わす。実線５は、ＧＷ−Ｕ１が、データ通信リンクを用いて、サービスポリシーをＵＥに供給することを表わし、サービスポリシーは、ネットワークスライス接続ポリシー、課金および制御ポリシー等を含んでよい。実線８は、ＵＥがＧＷ−Ｕ２を用いて、ＡＲサービスにアクセスすることを表わす。
【００６５】
図２に示された、インターネットおよびＡＲサービスにアクセスするシナリオは、一例として用いられているに過ぎない。実際の適用中、図２はさらに、ＵＥがモノのインターネット（Internet of Things, IoT）、遠隔医療または自動運転等のサービスにアクセスするように、ＩｏＴ、遠隔医療または自動運転等のサービスに対応するサーバおよびＧＷ−Ｕを含んでよい。ＡＲ、ＩｏＴ、遠隔医療および自動運転はそれぞれ、異なるサービスレベルアグリーメント（Service Level Agreement, SLA）に対応する。
【００６６】
本発明のこの実施形態におけるユーザ機器は、アクセス端末、加入者ユニット、加入者局、移動局、モバイルコンソール、リモート局、リモート端末、モバイルデバイス、ユーザ端末、端末、無線通信デバイス、ユーザエージェント、ユーザ装置等であってよい。アクセス端末は、携帯電話、コードレス電話、セッションイニシエーションプロトコル（Session Initiation Protocol, SIP）電話、無線ローカルループ（Wireless Local Loop, WLL）局、パーソナルデジタルアシスタント（Personal Digital Assistant, PDA）、無線通信機能を有するハンドヘルドデバイス、コンピューティングデバイス、無線モデムに接続された別の処理デバイス、車載デバイス、ウェアラブルデバイス、将来の無線通信ネットワークにおけるユーザ機器等であってよい。本発明のこの実施形態におけるユーザ機器は、ＧＷ‐Ｔモジュールを有することに留意されたい。当該モジュールは、ユーザ機器において設計されたチップ若しくはハードウェアモジュール、またはユーザ機器にインストールされたシステムアプリケーションプログラム（ユーザ機器がルートに指定されていない場合、アプリケーションプログラムは削除できない）であってよい。これは、特定の場合に依存して判断される。換言すると、本発明のこの実施形態におけるユーザ機器は、オペレータによって提供されるカスタマイズされたユーザ機器であってよい。
【００６７】
図３は、本発明の一実施形態によるユーザ機器の概略構造図である。ユーザ機器１０１は、プロセッサ１０１１および送受信機１０１２を含む。実際の適用中、ユーザ機器１０１は、さらに、電源、ディスプレイモジュール、検知モジュールおよびオーディオモジュール等の他の部分を含んでよい。プロセッサ１０１１は、コントローラ、中央処理装置（Central Processing Unit, CPU）、汎用プロセッサ、デジタル信号プロセッサ（Digital Signal Processor, DSP）、特定用途向け集積回路（Application Specific Integrated Circuit, ASIC）、フィールドプログラマブルゲートアレイ（Field-Programmable Gate Array, FPGA）または別のプログラマブルロジックデバイス、トランジスタロジックデバイス、ハードウェアコンポーネント、または任意のこれらの組み合わせであってよい。プロセッサは、本発明のこの実施形態を参照して説明される様々な例示的な論理ブロック、モジュールおよび回路を実装または実行してよい。代替的に、プロセッサ１０１１は、コンピューティング機能を実装するプロセッサの組み合わせ、例えば、１または複数のマイクロプロセッサの組み合わせ、またはＤＳＰおよびマイクロプロセッサの組み合わせであってよい。送受信機１０１２は、ユーザ機器１０１と、基地局または衛星等のネットワークデバイスとの間で、通信またはデータ送信を実装するように構成されており、さらに、ユーザ機器１０１と、別のユーザ機器との間で通信またはデータ送信を実装するように構成されている。送受信機１０１２は、本発明のこの実施形態に適用され、送受信機１０１２は、ユーザ機器１０１とゲートウェイユーザプレーンとの間で通信またはデータ送信を実行するように構成されている。ＧＷ‐Ｔモジュールが、ユーザ機器において設計されたチップまたはハードウェアモジュールである場合、図３に示すユーザ機器１０１は、さらに、ユーザ機器１０１と、ゲートウェイユーザプレーンとの間で、認証、ポリシー対話および統計報告等の機能を実装して、コアネットワーク側が将来のネットワークスライスを動的に展開および選択し、アプリケーションデータサービスに関する統計を収集し、アプリケーションデータサービス、ポリシー制御等を報告するのを補助するように構成されたＧＷ‐Ｔモジュール１０１３を含む。ＧＷ‐Ｔモジュール１０１３は、プロセッサ１０１１または送受信機１０１２に統合されてよく、または、独立して配置されたモジュールであってよい。
【００６８】
本発明のこの実施形態におけるゲートウェイユーザプレーンは、ＳＧＷおよび／またはＰＧＷ等のコアネットワークデバイスのユーザプレーン機能を実装する。図４は、本発明の一実施形態によるゲートウェイユーザプレーンの概略構造図である。ゲートウェイユーザプレーン１０２は、プロセッサ１０２１および送受信機１０２２を含む。プロセッサ１０２１は、本発明のこの実施形態を参照して説明される様々な例示的な論理ブロック、モジュールおよび回路を実装または実行するように構成されている。送受信機１０２２は、ゲートウェイユーザプレーン１０２と、ゲートウェイ制御プレーン、ユーザ機器、および別のコアネットワークデバイスの各々との間で、通信またはデータ送信を実装するように構成されている。ゲートウェイユーザプレーン１０２は、ユーザ機器のＧＷ‐Ｔモジュールの通信アドレス（GW-U IP Address for GW-T）を含む。実際の適用中、ゲートウェイユーザプレーンは、複数の通信アドレスを含み、GW-U IP Address for GW-Tが用いられ、ユーザ機器のＧＷ‐Ｔモジュールへのデータ通信リンクが確立され、その結果、ゲートウェイユーザプレーン１０２が、サービスポリシー情報をユーザ機器に供給する。図４に示されたゲートウェイユーザプレーンの概略構造図は、ゲートウェイ制御プレーンの概略構造図であってもよい。
【００６９】
認証サーバ、すなわち、ＡＡＡサーバが本発明のこの実施形態でさらに用いられ、当該サーバは、ユーザ機器のＧＷ‐Ｔモジュールで認証を実行するように構成されている。
【００７０】
図５Ａから図８Ｃを参照して、本発明の実施形態で提供されるサービス管理方法について、以下詳細に説明する。図５Ａから図８Ｃの説明は、ユーザ機器とゲートウェイユーザプレーンとの間の対話の視点から記載されていることに留意されたい。図５Ａ、図５Ｂおよび図５Ｃに示す実施形態１は、概して、サービス管理方法について説明し、図６Ａ、図６Ｂ、図６Ｃおよび図７にそれぞれ示された実施形態２および実施形態３は、ＡＲサービスのネットワークスライス接続について説明し、図８Ａ、図８Ｂおよび図８Ｃに示す実施形態４は、データサービスの課金および制御について説明する。
【００７１】
図５Ａ、図５Ｂおよび図５Ｃは、本発明の実施形態１によるサービス管理方法の概略的通信図である。方法は、以下の段階を含むが、これらに限定はされない。
【００７２】
段階Ｓ１０１：ユーザ機器は、ゲートウェイユーザプレーンの通信アドレスを取得する。
【００７３】
具体的には、ゲートウェイユーザプレーンの通信アドレスを取得する前に、ユーザ機器は、３ＧＰＰ規格文書２３４０１で定義された手順に従い、アクティベーション要求メッセージを開始する。ネットワークアーキテクチャ内にＳＧＷおよびＰＧＷが存在する一例が用いられ、アクティベーション要求メッセージを開始する特定のプロセスは、ＵＥがアタッチ要求（Attach Request）をＲＡＮに送信する。Attach Requestを受信すると、ＲＡＮは、Attach Requestをモビリティ管理エンティティ（Mobility Management Entity, MME）に送信する。Attach Requestを受信すると、ＭＭＥは、セッション要求作成（Create Session Request）をＳＧＷ‐Ｃに送信する。Create Session Requestを受信すると、ＳＧＷ‐Ｃは、Create Session RequestをＰＧＷ−Ｃに送信する。Create Session Requestを受信すると、ＰＧＷ−Ｃは、セッション応答作成（Create Session Response）をＳＧＷ‐Ｃに送信する。Create Session Responseを受信すると、ＳＧＷ‐Ｃは、Create Session ResponseをＭＭＥに送信する。Create Session Responseを受信すると、ＭＭＥは、アタッチ許可（Attach Accept）をＲＡＮに送信する。Attach Acceptを受信すると、ＲＡＮは、Attach AcceptをＵＥに送信して、アクティベーションを完了する。上述の処理において、ＳＧＷ‐ＣはＳｘセッション確立要求（Session Establishment Request）をＳＧＷ‐Ｕに送信し、ＳＧＷ‐Ｕは、Ｓｘセッション確立応答（Session Establishment Response）をＳＧＷ‐Ｃに送信して、ＳＧＷ‐ＣとＳＧＷ‐Ｕとの間にＳｘセッション接続を確立する。同様に、ＰＧＷ−ＣとＰＧＷ−Ｕとの間のＳｘセッション接続が確立されてよい。ユーザプレーン／制御プレーンの分離ネットワークアーキテクチャでは、ＭＭＥは、Create Session RequestをＧＷ−Ｃに送信し、ＧＷ−ＣがCreate Session Requestを受信すると、Create Session ResponseをＭＭＥに送信する。ＧＷ−Ｃは、また、ＧＷ−ＵへのＳｘセッション接続を確立してよい。
【００７４】
可能な実装において、ユーザ機器は、アクセスネットワークゲートウェイによって送信されたアタッチ応答メッセージに基づき、ゲートウェイユーザプレーンの通信アドレスを取得し、アタッチ応答メッセージは、ゲートウェイユーザプレーンの通信アドレスを含む。具体的に言うと、ユーザ機器は、ＲＡＮによって送信されたAttach Acceptを用いることによって、ゲートウェイユーザプレーンの通信アドレスを取得し、具体的には、GW-U IP Address for GW-Tを取得する。ネットワークアーキテクチャ内にＳＧＷおよびＰＧＷが存在する一例が用いられ、ＰＧＷ−ＣによってＳＧＷ‐Ｃに送信されたCreate Session Responseは、GW-U IP Address for GW-Tを保持し、GW-U IP Address for GW-Tは、情報要素をCreate Session Responseに追加することで示されてよい。ＳＧＷ‐Ｃによって、ＭＭＥに送信されたCreate Session Responseは、GW-U IP Address for GW-Tを保持する。ＭＭＥによってＲＡＮに送信されたAttach Acceptは、GW-U IP Address for GW-Tを保持する。ＲＡＮによってＵＥに送信されたAttach Acceptは、GW-U IP Address for GW-Tを保持し、その結果、ＵＥは、ＲＡＮによって送信されたAttach Acceptを用いることによって、GW-U IP Address for GW-Tを取得する。
【００７５】
可能な実装において、ユーザ機器は、ユーザ機器の事前構成情報に基づき、ゲートウェイユーザプレーンの通信アドレスを取得する。事前構成情報は、ゲートウェイユーザプレーンの通信アドレスを含み、具体的には、GW-U IP Address for GW-Tを含む。事前構成情報は、ユーザ機器のカスタマイズ時に、オペレータによって構成されてよく、または、ユーザ機器の製造者によって構成されてよく、または、ユーザ機器のシステムによって構成されてよい。このことは、本明細書において限定されない。
【００７６】
可能な実装において、ユーザ機器は、ユーザによって選択された構成態様におけるゲートウェイユーザプレーンの通信アドレスを取得する。ユーザ機器は、複数の構成態様をユーザに対し提供し、ユーザによって選択された構成態様におけるGW-U IP Address for GW-Tを取得し、すなわち、手動構成により、GW-U IP Address for GW-Tを取得する。
【００７７】
段階Ｓ１０２：ユーザ機器は、ゲートウェイユーザプレーンへの通信リンクを確立する。
【００７８】
具体的には、ゲートウェイユーザプレーンの通信アドレスを取得した後、ユーザ機器は、ゲートウェイユーザプレーンへの通信リンクを確立してよい。通信リンクは、データ通信リンクであり、サービスポリシー情報をユーザ機器に送信するために、ゲートウェイユーザプレーンによって用いられてよく、利用状況レポート要求メッセージをゲートウェイユーザプレーンに送信するために、ユーザ機器によって用いられてよい等である。送信セキュリティを保証し、且つ、送信内容が改ざんされるのを防止すべく、通信リンクは、送信内容を暗号化してよく、または、通信リンクは暗号化された内容を送信する。
【００７９】
通信リンクを確立する前に、ユーザ機器は、ユーザ機器のゲートウェイ端末モジュール、ユーザ機器の権利、およびネットワーク稼働環境が事前設定条件を満たすかどうかを検出し、検出結果が、肯定的である場合、通信リンクを確立する。事前設定条件は、ＵＥがＧＷ‐Ｔモジュールを有していること、ＵＥがｒｏｏｔ指定されていないこと、操作権限が取得されていること、ネットワーク稼働環境が安全であることが含まれる。ユーザ機器がゲートウェイ端末モジュールを有していないこと、ユーザ機器がｒｏｏｔ指定されていること、操作権限が取得されていないこと、およびネットワーク稼働環境が安全でないこと、といったケースのうち少なくとも１つが存在する場合、事前設定条件は満たされていないと判断される。ＵＥがｒｏｏｔ指定されているということは、ＵＥの最高レベルの権利が変更されていることを意味する。ＵＥがｒｏｏｔ指定されていないということは、ＵＥの権利が、供給時に付与された権利と整合しており、最高レベルの権利は変更されていないことを意味する。操作権限が取得されるということは、ＵＥは操作されてよく、正常に用いられ得ることを意味する。
【００８０】
随意に、通信リンクは、ハイパーテキストトランスファープロトコルオーバーセキュアソケットレイヤ（Hyper Text Transfer Protocol over Secure Socket Layer, HTTPS）送信チャネルであり、ユーザ機器は、事前設定キーを用いることによって、GW-U IP Address for GW-TへのＨＴＴＰＳ接続要求を開始する。当該要求を受信すると、ゲートウェイユーザプレーンは、事前設定キーを用いることによって、当該要求を復号化し、ＨＴＴＰＳ接続応答をユーザ機器に送信して、ユーザ機器とゲートウェイユーザプレーンとの間に通信リンクを確立する。
【００８１】
随意に、通信リンクは、別のセキュアソケットレイヤ（Secure Sockets Layer, SSL）送信チャネルであり、ユーザ機器は、事前設定キーを用いることによって、GW-U IP Address for GW-Tへの接続要求を開始する。当該要求を受信すると、ゲートウェイユーザプレーンは、事前設定キーを用いることによって、当該要求を復号化し、接続応答をユーザ機器に送信して、ユーザ機器とゲートウェイユーザプレーンとの間に通信リンクを確立する。
【００８２】
ＨＴＴＰＳ送信チャネルおよびＳＳＬ送信チャネルは両方とも、安全で信頼できる送信チャネルであり、別の安全で信頼できる送信チャネルも用いられてよい。
【００８３】
段階Ｓ１０３：ユーザ機器は通信リンクを用いることによって、セッション接続作成要求メッセージをゲートウェイユーザプレーンに送信し、セッション接続作成要メッセージは、ユーザ機器のゲートウェイ端末モジュールの認証情報を含む。
【００８４】
具体的には、ユーザ機器は、通信リンクを用いることによって、セッション接続作成要求メッセージ（Session Connection Create Request）をゲートウェイユーザプレーンに送信し、セッション接続作成要求メッセージは、ユーザ機器のゲートウェイ端末モジュールの認証情報を含む。ユーザ機器のゲートウェイ端末モジュールの認証情報は、ＧＷ‐Ｔモジュールの識別子およびキーワード情報（認可/認証キーワード）等の情報を含み、当該認証情報は、ゲートウェイユーザプレーンによって、ゲートウェイ制御プレーンが、認証サーバに対し、ユーザ機器のＧＷ‐Ｔモジュールに認証を実行することを要求するようにトリガすべく用いられる。
【００８５】
セッション接続作成要求メッセージは、さらに、ユーザ機器の機能属性情報を含み、ユーザ機器の機能属性情報は、移動局統合サービスデジタルネットワーク番号（Mobile Station Integrated Service Digital Network/Public Switched Telephone Network number, MSISDN）および国際モバイルサブスクライバ識別情報（International Mobile Subscriber Identity Number, IMSI）等の情報を含む。ＭＳＩＳＤＮおよびＩＭＳＩが用いられて、ユーザ機器を識別する。
【００８６】
ユーザ機器のゲートウェイ端末モジュールの認証情報は、ユーザ機器の機能属性情報にバインドされてよく、バインドが実行されるかどうかは、オペレータによって判断される。随意に、送信セキュリティを保証すべく、ユーザ機器は、事前設定キーを用いることによって、セッション接続作成要求メッセージを暗号化し、または、事前設定キーを用いることによって、ユーザ機器のゲートウェイ端末モジュールの認証情報およびユーザ機器の機能属性情報を暗号化する。
【００８７】
段階Ｓ１０４：ゲートウェイユーザプレーンは、通信リンクを用いることによって、セッション接続作成要求メッセージを受信する。
【００８８】
具体的には、ゲートウェイユーザプレーンは、通信リンクを用いることによって、セッション接続作成要求メッセージを受信し、当該セッション接続作成要求メッセージを解析して、ユーザ機器のゲートウェイ端末モジュールの認証情報を取得する。セッション接続作成要求メッセージが事前設定キーを用いることによって暗号化されている場合、ゲートウェイユーザプレーンは、事前設定キーを用いることによって、セッション接続作成要求メッセージを復号化し、ユーザ機器のゲートウェイ端末モジュールの認証情報を解析する。セッション接続作成要求メッセージが、さらに、ユーザ機器の機能属性情報を含む場合、ゲートウェイユーザプレーンは当該機能属性情報を解析する。ユーザ機器のゲートウェイ端末モジュールの認証情報およびユーザ機器の機能属性情報が、事前設定キーを用いて暗号化されている場合、ゲートウェイユーザプレーンは、事前設定キーを用いて、認証情報および機能属性情報を復号化し、認証情報および機能属性情報を解析する。
【００８９】
段階Ｓ１０５：ゲートウェイユーザプレーンが、第１の認証要求メッセージをゲートウェイ制御プレーンに送信し、第１の認証要求メッセージは、ユーザ機器のゲートウェイ端末モジュールの認証情報を含む。
【００９０】
具体的には、ゲートウェイユーザプレーンとゲートウェイ制御プレーンとが分離して配置されている場合、第１の認証要求メッセージは、さらに、セッション識別子を含み、当該セッション識別子はＳｘセッションのセッション識別子であり、Ｓｘセッションを確立したゲートウェイユーザプレーンおよびゲートウェイ制御プレーンを識別するのに用いられる。複数のゲートウェイユーザプレーンおよび複数のゲートウェイ制御プレーンが、図２に示されたシステムアーキテクチャ内に存在してよく、ゲートウェイ制御プレーンに接続された異なるゲートウェイユーザプレーンを区別すべく、Ｓｘセッション識別子が用いられる。
【００９１】
第１の認証要求メッセージは、さらに、ユーザ機器の機能属性情報を含む。
【００９２】
段階Ｓ１０６：ゲートウェイ制御プレーンは、第１の認証要求メッセージを受信する。
【００９３】
具体的には、ゲートウェイ制御プレーンは、第１の認証要求メッセージを受信し、第１の認証要求メッセージを解析する。
【００９４】
段階Ｓ１０７：ゲートウェイ制御プレーンは、第２の認証要求メッセージを認証サーバに送信し、第２の認証要求メッセージは、ユーザ機器のゲートウェイ端末モジュールの認証情報を含む。
【００９５】
具体的には、ゲートウェイ制御プレーンは、解析結果に基づき、第２の認証要求メッセージを構築し、第２の認証要求メッセージを認証サーバに送信する。第２の認証要求メッセージは、ユーザ機器のゲートウェイ端末モジュールの認証情報を含む。ゲートウェイユーザプレーンおよびゲートウェイ制御プレーンが分離して配置されている場合、第２の認証要求メッセージは、さらに、セッション識別子を含む。
【００９６】
第２の認証要求メッセージは、さらに、ユーザ機器の機能属性情報を含む。
【００９７】
段階Ｓ１０８：認証サーバは、第２の認証要求メッセージを受信し、ユーザ機器のゲートウェイ端末モジュールに認証を実行する。
【００９８】
具体的には、認証サーバは、第２の認証要求メッセージを受信し、第２の認証要求メッセージを解析して、ユーザ機器のゲートウェイ端末モジュールの認証情報を取得し、ユーザ機器のゲートウェイ端末モジュールの認証情報に基づき、ユーザ機器のゲートウェイ端末モジュールに認証を実行する。
【００９９】
段階Ｓ１０９：認証サーバは、第２の認証応答メッセージをゲートウェイ制御プレーンに送信し、第２の認証応答メッセージは、認証結果を含む。
【０１００】
具体的には、認証サーバは、ユーザ機器のゲートウェイ端末モジュールに認証を実行して、認証結果を取得し、認証結果は認証が成功したか、失敗したかというものである。認証結果を取得した後、認証サーバは、第２の認証応答メッセージをゲートウェイ制御プレーンに送信し、第２の認証応答メッセージは認証結果を含む。
【０１０１】
第２の認証応答メッセージは、さらに、ユーザ機器の機能属性情報を含む。
【０１０２】
段階Ｓ１１０：ゲートウェイ制御プレーンは、第２の認証応答メッセージを受信する。
【０１０３】
具体的には、ゲートウェイ制御プレーンは、認証サーバによって送信された第２の認証応答メッセージを受信する。
【０１０４】
段階Ｓ１１１：ゲートウェイ制御プレーンは、第１の認証応答メッセージをゲートウェイユーザプレーンに送信し、第１の認証応答メッセージは認証結果を含む。
【０１０５】
具体的には、認証が成功または失敗したかに関わらず、ゲートウェイ制御プレーンは、ゲートウェイユーザプレーンに対し、認証結果を保持する第１の認証応答メッセージを送信する。
【０１０６】
第１の認証応答メッセージは、さらに、ユーザ機器の機能属性情報を含む。
【０１０７】
段階Ｓ１１２：ゲートウェイユーザプレーンは、第１の認証応答メッセージを受信する。
【０１０８】
具体的には、ゲートウェイユーザプレーンおよびゲートウェイ制御プレーンが分離して配置されている場合、ゲートウェイユーザプレーンは、Ｓｘセッション接続を通して、ゲートウェイ制御プレーンによって送信された第１の認証応答メッセージを受信する。
【０１０９】
段階Ｓ１１３：ゲートウェイユーザプレーンは、セッション接続作成応答メッセージをユーザ機器に送信し、セッション接続作成応答メッセージは、認証結果を含む。
【０１１０】
具体的には、ゲートウェイユーザプレーンは、通信リンクを用いることによって、セッション接続作成応答メッセージをユーザ機器に送信し、セッション接続作成応答メッセージは認証結果を含み、認証結果は、ユーザ機器に対し認証が成功したかどうかを通知するために用いられる。認証結果またはセッション接続作成応答メッセージは、暗号化された後で送信される。
【０１１１】
セッション接続作成応答メッセージは、さらに、ユーザ機器の機能属性情報を含む。
【０１１２】
段階Ｓ１１４：ユーザ機器は、セッション接続作成応答メッセージを受信する。
【０１１３】
具体的には、ユーザ機器は、通信リンクを用いることによって、ゲートウェイユーザプレーンによって送信されたセッション接続作成応答メッセージを受信する。
【０１１４】
段階Ｓ１１５：認証結果が、認証が成功したということである場合、ゲートウェイ制御プレーンは、サービスポリシー情報をゲートウェイユーザプレーンに送信する。
【０１１５】
具体的には、ユーザ機器のゲートウェイ端末モジュールが認証されると、ゲートウェイ制御プレーンは、サービスポリシー情報をゲートウェイユーザプレーンに送信する。サービスポリシー情報は、第１の認証応答メッセージ内に保持されてよく、または、第１の認証応答メッセージ内に保持されなくてよく、すなわち、サービスポリシー情報は、第１の認証応答メッセージが送信された後で送信される。
【０１１６】
可能な実装において、サービスポリシー情報は、少なくとも１つの現在のネットワークスライス接続ポリシーを含み、少なくとも１つの現在のネットワークスライス接続ポリシーは、少なくとも１つの元のネットワークスライス接続ポリシー、または、少なくとも１つの更新されたネットワークスライス接続ポリシーであり、アプリケーション識別子およびネットワークスライス間のセッション接続関係が示すべく、ネットワークスライス接続ポリシーが用いられる。ネットワークスライス接続ポリシーは、アプリケーション識別子、アクセスタイプおよびアクセスポイント名（Access Point Name, APN）間の対応関係を含み、アプリケーション識別子およびネットワークスライス間のセッション接続関係を反映する。換言すると、特定のアプリケーションが、特定のアクセスタイプを用いることによって、特定のアクセスポイントに接続される。
【０１１７】
可能な実装において、サービスポリシー情報は、少なくとも１つのサービス課金および制御ポリシーを含み、アプリケーション識別子と、課金および制御ポリシーとの間の対応関係を示すべく、サービス課金および制御ポリシーが用いられる。サービス課金および制御ポリシーは、アプリケーション識別子と、サービス識別子、レーティンググループおよびクオリティオブサービス（Quality of Service, QoS）等の情報との間の対応関係を含み、アプリケーション識別子と、課金および制御ポリシーとの間の対応関係を反映する。換言すると、特定のアプリケーションは、特定のポリシーを用いることいよって、課金および制御される。
【０１１８】
サービスポリシー情報内に含まれる２つのタイプのポリシーは、本発明の実施形態１への限定を構成せず、サービスポリシー情報は、さらに、別のタイプのポリシーを含んでよい。
【０１１９】
段階Ｓ１１５および段階Ｓ１１１は、同時に実行されてよいことに留意されたい。具体的に言うと、ユーザ機器のゲートウェイ端末モジュールが認証されると、ゲートウェイ制御プレーンは、第１の認証応答メッセージおよびサービスポリシー情報をゲートウェイユーザプレーンに対し、同時に送信する、または、ゲートウェイ制御プレーンによって、ゲートウェイユーザプレーンに対し送信された第１の認証応答メッセージは、認証結果およびサービスポリシー情報の両方を保持する。代替的に、段階Ｓ１１５は、段階Ｓ１１１の後で実行されてよい。具体的に言うと、認証応答メッセージがまず送信され、ユーザ機器のゲートウェイ端末モジュールが認証されたとき、サービスポリシー情報が送信される。
【０１２０】
段階Ｓ１１６：ゲートウェイユーザプレーンは、サービスポリシー情報を受信する。
【０１２１】
具体的には、認証結果が、認証が成功したというものである場合、ゲートウェイユーザプレーンは、ゲートウェイ制御プレーンによって送信されたサービスポリシー情報を受信し、サービスポリシー情報をキャッシュする。
【０１２２】
同様に、認証結果が、認証が成功したというものである場合、段階Ｓ１１６および段階Ｓ１１２は、同時に実行されてよい。
【０１２３】
段階Ｓ１１７：ゲートウェイユーザプレーンは、サービスポリシー情報をユーザ機器に送信する。
【０１２４】
具体的には、ゲートウェイユーザプレーンは、通信リンクを用いることによって、サービスポリシー情報をユーザ機器に送信する。サービスポリシー情報は、暗号化された後、送信される。
【０１２５】
同様に、認証結果が認証が成功したというものである場合、段階Ｓ１１７および段階Ｓ１１３は同時に実行されてよい。
【０１２６】
段階Ｓ１１８：ユーザ機器は、サービスポリシー情報を受信する。
【０１２７】
具体的には、認証結果が認証が成功したというものである場合、ユーザ機器は、ゲートウェイユーザプレーンによって送信されたサービスポリシー情報を受信する。
【０１２８】
同様に、認証結果が認証が成功したというものである場合、段階Ｓ１１８および段階Ｓ１１４は、同時に実行されてよい。
【０１２９】
段階Ｓ１１９：ユーザ機器は、サービスポリシー情報に基づいてサービス管理を実行する。
【０１３０】
可能な実装において、ユーザ機器は、現在のアプリケーションのアプリケーション識別子を取得し、現在のアプリケーションのアプリケーション識別子に対応するネットワークスライスを求めて、ゲートウェイユーザプレーンによって通信リンクを用いて送信された少なくとも１つの現在のネットワークスライス接続ポリシーを検索し、セッション接続を確立し、見つかったネットワークスライスに基づき、サービスアクセスを実行する。例えば、ユーザ機器は、現在のモノのインターネットのアプリケーションのアプリケーション識別子を取得し、対応するネットワークスライス、すなわち、対応するアクセスタイプおよびアクセスポイント名を求めて、少なくとも１つの現在のネットワークスライス接続ポリシーを検索し、アクセスタイプに基づき、アクセスポイントに対するセッション接続を開始し、セッション接続を確立後、サービスアクセスを実行する。可能な実装において、ＵＥは、独立して、ネットワークスライスを選択して、セッション接続およびサービスアクセスを実行してよく、これにより、コアネットワークデバイスの処理圧力を低減し、ＵＥの処理能力を向上させる。
【０１３１】
可能な実装において、ユーザ機器は、データサービスにアクセスする現在のアプリケーションのアプリケーション識別子を取得し、現在のアプリケーションのアプリケーション識別子に対応する課金および制御ポリシーを求めて、ゲートウェイユーザプレーンによって、通信リンクを用いて送信された少なくとも１つのサービス課金および制御ポリシーを検索し、データトラフィックに関する統計を収集し、見つかった課金および制御ポリシーに基づき、アクセス制御を実行する。アクセス制御は、ＱｏＳ制御、上りサービスパケットのディファレンシエーティッドサービスコードポイント（Differentiated Services Code Point, DSCP）値の付記（Remark）等を含む。例えば、ユーザ機器によって、データサービスにアクセスするために用いられる現在のアプリケーションはソーシャルアプリケーションであり、ソーシャルアプリケーションのアプリケーション識別子が取得され、ソーシャルアプリケーションのアプリケーション識別子に対応する課金および制御ポリシーを求めて、少なくとも１つのサービス課金および制御ポリシーが検索され、データトラフィックに関する統計が収集され、課金および制御ポリシーに基づきアクセス制御が実行される。統計すると、ソーシャルアプリケーションによって用いられるトラフィックに関する統計が収集され、利用状況に依存して制御が実行される。統計が収集された後、ユーザ機器は、通信リンクを用いて、利用状況レポート要求メッセージをゲートウェイユーザプレーンに定期的に送信し、利用状況レポート要求メッセージは、ユーザ機器の機能属性情報およびアプリケーションのトラフィック利用状況に関する統計を含み、利用状況レポート要求メッセージは、ゲートウェイユーザプレーンに対し、オンラインまたはオフラインコール詳細記録を生成し、且つ、利用状況レポート確認メッセージをフィードバックするように要求するために用いられ、利用状況レポート確認メッセージは、ゲートウェイユーザプレーンが、アプリケーションのトラフィック利用状況に関する統計を確認したことを示すために用いられる。アプリケーションのトラフィック利用状況に関する統計は、アプリケーションのトラフィック利用状況の統計結果、サービス識別子、およびレーティンググループを含む。
【０１３２】
サービスポリシー情報が、別のタイプのポリシーを含む場合、ユーザ機器は、特定のポリシーに基づき、対応するサービス管理を実行する。
【０１３３】
図５Ａ、図５Ｂおよび図５Ｃに示された実施形態１において、ユーザ機器は、ゲートウェイユーザプレーンの通信アドレスを取得し、ゲートウェイユーザプレーンへの通信リンクを確立し、通信リンクを用いて、ゲートウェイユーザプレーンに対し、ユーザ機器のゲートウェイ端末モジュールの認証情報を保持するセッション接続作成要求メッセージを送信する。セッション接続作成要求メッセージを受信すると、ゲートウェイユーザプレーンは、認証要求メッセージをゲートウェイ制御プレーンに送信し、認証要求メッセージは、ゲートウェイ制御プレーンが、認証サーバに対し、ユーザ機器のゲートウェイ端末モジュールに認証を実行することを要求するようにトリガすべく用いられる。認証サーバは、ユーザ機器のゲートウェイ端末モジュールに認証を実行し、認証結果をゲートウェイ制御プレーンにフィードバックする。認証結果を受信すると、ゲートウェイ制御プレーンは、認証結果を認証応答メッセージに追加し、認証応答メッセージをゲートウェイユーザプレーンに送信し、ゲートウェイユーザプレーンは、認証結果をセッション接続作成応答メッセージに追加し、セッション接続作成応答メッセージを、ユーザ機器に送信する。認証結果が、認証が成功したというものである場合、ゲートウェイ制御プレーンは、サービスポリシー情報をゲートウェイユーザプレーンに送信し、ゲートウェイユーザプレーンは、サービスポリシー情報をユーザ機器に送信し、ユーザ機器はサービスポリシー情報に基づき、サービス管理を実行し、その結果、ユーザ機器は、サービス管理を実行し、ユーザ機器の参加レベルが上げられてよく、ユーザ機器のサービス管理能力が向上されてよい。
【０１３４】
図６Ａ、図６Ｂおよび図６Ｃは、本発明の実施形態２によるサービス管理方法の概略的通信図である。実施形態２に示されるＡＡＡは、認証サーバである。方法は、以下の段階を含むが、これらに限定はされない。
【０１３５】
段階Ｓ２０１：ＵＥは、GW-U IP Address for GW-Tを取得する。
【０１３６】
段階Ｓ２０２：ＵＥは、ＧＷ−Ｕへの通信リンクを確立する。
【０１３７】
段階Ｓ２０３：ＵＥは、セッション接続作成要求メッセージ（ＵＥのＧＷ‐Ｔの認証情報）を、ＧＷ−Ｕに送信する。
【０１３８】
セッション接続作成要求メッセージは、さらに、ＵＥの機能属性情報を含み、ＵＥの機能属性情報は、ＭＳＩＳＤＮ、ＩＭＳＩおよびキーワード情報等の情報を含む。
【０１３９】
段階Ｓ２０４：ＧＷ−Ｕは、セッション接続作成要求メッセージを受信する。
【０１４０】
段階Ｓ２０５：ＧＷ−Ｕは、第１の認証要求メッセージ（ＵＥのＧＷ‐Ｔの認証情報）をＧＷ−Ｃに送信する。
【０１４１】
第１の認証要求メッセージは、さらに、ＵＥの機能属性情報を含む。
【０１４２】
段階Ｓ２０６：ＧＷ−Ｃは、第１の認証要求メッセージを受信する。
【０１４３】
段階Ｓ２０７：ＧＷ−Ｃは、第２の認証要求メッセージ（ＵＥのＧＷ‐Ｔの認証情報）をＡＡＡに送信する。
【０１４４】
第２の認証要求メッセージは、さらに、ＵＥの機能属性情報を含む。
【０１４５】
段階Ｓ２０８：ＡＡＡは、第２の認証要求メッセージを受信し、ＵＥのＧＷ‐Ｔモジュールに認証を実行する。
【０１４６】
段階Ｓ２０９：ＡＡＡは、第２の認証応答メッセージ（認証結果）をＧＷ−Ｃに送信する。
【０１４７】
第２の認証応答メッセージは、さらに、ＵＥの機能属性情報を含む。
【０１４８】
段階Ｓ２１０：ＧＷ−Ｃは、第２の認証応答メッセージを受信する。
【０１４９】
段階Ｓ２１１：ＧＷ−Ｃは、第１の認証応答メッセージ（認証結果）をＧＷ−Ｕに送信する。
【０１５０】
第１の認証応答メッセージは、さらに、ＵＥの機能属性情報を含む。
【０１５１】
段階Ｓ２１２：ＧＷ−Ｕは、第１の認証応答メッセージを受信する。
【０１５２】
段階Ｓ２１３：ＧＷ−Ｕは、セッション接続作成応答メッセージ（認証結果）をＵＥに送信する。
【０１５３】
セッション接続作成応答メッセージは、さらに、ＵＥの機能属性情報を含む。
【０１５４】
段階Ｓ２１４：ＵＥは、セッション接続作成応答メッセージを受信する。
【０１５５】
段階Ｓ２０１から段階Ｓ２１４の特定のプロセスについては、図３に示された実施形態１の段階Ｓ１０１から段階Ｓ１１４の特定の説明を参照されたい。詳細について、ここで再度繰り返し説明しない。
【０１５６】
段階Ｓ２１５：認証結果が、認証が成功したというものである場合、ＧＷ−Ｃは、少なくとも１つのネットワークスライス接続ポリシーをＧＷ−Ｕに送信する。
【０１５７】
少なくとも１つのネットワークスライス接続ポリシーは、実施形態１における、少なくとも１つの元のネットワークスライス接続ポリシーである。ネットワークスライス接続ポリシーは、アプリケーション識別子およびネットワークスライス間のセッション接続関係を示すために用いられる。ネットワークスライス接続ポリシーは、アプリケーション識別子、アクセスタイプおよびＡＰＮ間の対応関係を含み、アプリケーション識別子およびネットワークスライス間のセッション接続関係を反映する。換言すると、特定のアプリケーションが、特定のアクセスタイプを用いることによって、特定のアクセスポイントに接続される。
【０１５８】
段階Ｓ２１６：ＧＷ−Ｕは、少なくとも１つのネットワークスライス接続ポリシーを受信する。
【０１５９】
段階Ｓ２１７：ＧＷ−Ｕは、少なくとも１つのネットワークスライス接続ポリシーをＵＥに送信する。
【０１６０】
段階Ｓ２１８：ＵＥは、少なくとも１つのネットワークスライス接続ポリシーを受信する。
【０１６１】
具体的には、ＵＥは、少なくとも１つのネットワークスライス接続ポリシーを受信およびキャッシュする。
【０１６２】
段階Ｓ２１９：ＵＥは、現在のアプリケーションのアプリケーション識別子を取得する。
【０１６３】
現在のアプリケーションは、ＡＲアプリケーション、モノのインターネットのアプリケーション、遠隔医療アプリケーションまたは自動運転アプリケーション等のＵＥで実行中のＳＬＡアプリケーションであり、ＵＥは、現在のアプリケーションのアプリケーション識別子を取得し、すなわち、実行中のアプリケーションのアプリケーション識別子を判断する。１または複数の現在のアプリケーションが存在してよい。これは、特定の場合に依存して判断される。
【０１６４】
段階Ｓ２２０：ＵＥは、現在のアプリケーションのアプリケーション識別子に対応するネットワークスライスを求めて、少なくとも１つのネットワークスライス接続ポリシーを検索する。
【０１６５】
具体的には、ＵＥは、現在のアプリケーションのアプリケーション識別子に対応するネットワークスライスを求めて、少なくとも１つのネットワークスライス接続ポリシーを検索し、すなわち、現在のアプリケーション識別子に対応するアクセスタイプおよびＡＰＮを判断する。
【０１６６】
段階Ｓ２２１：ＵＥは、セッション接続を確立し、見つかったネットワークスライスに基づき、サービスアクセスを実行する。
【０１６７】
具体的には、ＵＥは、現在のアプリケーションに対応する見つかったアクセスタイプおよびＡＰＮに基づき、ＡＰＮへのセッション接続を確立し、ＡＰＮに対しサービスアクセスを実行する。
【０１６８】
図６Ａ、図６Ｂおよび図６Ｃに示された実施形態２において、ＵＥは、ＧＷ−Ｕによって送信された少なくとも１つのネットワークスライス接続ポリシーに基づき、現在のアプリケーションのアプリケーション識別子に対応するネットワークスライスを選択し、セッション接続を確立し、サービスアクセスを実行し、その結果、ＵＥは、動的に且つ独立的にネットワークスライス接続ポリシーを選択し、これにより、ＵＥの参加レベルを上げ、ＵＥの処理能力を向上させる。
【０１６９】
図７は、本発明の実施形態３によるサービス管理方法の概略的通信図である。実施形態３のアプリケーションシナリオにおいて、ＵＥは認証されており、少なくとも１つの元のネットワークスライス接続ポリシーを取得し、ＧＷ−Ｃは、ネットワークスライス配置アーキテクチャの調整に基づき、少なくとも１つの元のネットワークスライス接続ポリシーを更新する。方法は、以下の段階を含むが、これらに限定はされない。
【０１７０】
段階Ｓ３０１：ＧＷ−Ｃは、少なくとも１つの更新されたネットワークスライス接続ポリシーを取得すべく、少なくとも１つの元のネットワークスライス接続ポリシーを更新する。
【０１７１】
更新処理において、ＧＷ−Ｃは、いくつかのアプリケーション識別子に対応するネットワークスライスを調整する。
【０１７２】
段階Ｓ３０２：ＧＷ−Ｃは、セッション修正要求メッセージ（少なくとも１つの更新されたネットワークスライス接続ポリシー）をＧＷ−Ｕに送信する。
【０１７３】
セッション修正要求メッセージ（Sx Session Modification Request）は、さらに、ＵＥの機能属性情報を含む。
【０１７４】
段階Ｓ３０３：ＧＷ−Ｕは、セッション修正要求メッセージを受信する。
【０１７５】
段階Ｓ３０４：ＧＷ−Ｕは、セッション接続更新要求メッセージ（少なくとも１つの更新されたネットワークスライス接続ポリシー）を、ＵＥに送信する。
【０１７６】
セッション接続更新要求メッセージ（Session Connection Update Request）は、さらに、ＵＥの機能属性情報および認証結果を含む。
【０１７７】
段階Ｓ３０５：ＵＥは、セッション接続更新要求メッセージを受信する。
【０１７８】
具体的には、ＵＥは、セッション接続更新要求メッセージを受信し、少なくとも１つの更新されたネットワークスライス接続ポリシーをキャッシュする。
【０１７９】
段階Ｓ３０６：ＵＥは、セッション接続更新応答メッセージをＧＷ−Ｕに送信する。
【０１８０】
ＧＷ−Ｕに対し、ＵＥが少なくとも１つの元のネットワークスライス接続ポリシーを更新したことを通知すべく、セッション接続更新応答メッセージ（Session Connection Update Response）が用いられる。
【０１８１】
段階Ｓ３０７：ＵＥは、現在のアプリケーションのアプリケーション識別子を取得する。
【０１８２】
段階Ｓ３０８：ＵＥは、現在のアプリケーションのアプリケーション識別子に対応するネットワークスライスを求めて、少なくとも１つの更新されたネットワークスライス接続ポリシーを検索する。
【０１８３】
段階Ｓ３０９：ＵＥは、セッション接続を確立し、見つかったネットワークスライスに基づき、サービスアクセスを実行する。
【０１８４】
図７に示された実施形態３においては、少なくとも１つの元のネットワークスライス接続ポリシーを更新した後、ＧＷ−Ｃは、少なくとも１つの更新されたネットワークスライス接続ポリシーをＧＷ−Ｕに送信し、ＧＷ−Ｕは、少なくとも１つの更新されたネットワークスライス接続ポリシーをＵＥに供給し、ＵＥは、少なくとも１つの更新されたネットワークスライス接続ポリシーに基づき、サービス管理を実行する。
【０１８５】
図８Ａ、図８Ｂおよび図８Ｃは、本発明の実施形態４によるサービス管理方法の概略的通信図である。方法は、以下の段階を含むが、これらに限定はされない。
【０１８６】
段階Ｓ４０１：ＵＥは、GW-U IP Address for GW-Tを取得する。
【０１８７】
段階Ｓ４０２：ＵＥは、ＧＷ−Ｕへの通信リンクを確立する。
【０１８８】
段階Ｓ４０３：ＵＥは、セッション接続作成要求メッセージ（ＵＥのＧＷ‐Ｔの認証情報）をＧＷ−Ｕに送信する。
【０１８９】
段階Ｓ４０４：ＧＷ−Ｕは、セッション接続作成要求メッセージを受信する。
【０１９０】
段階Ｓ４０５：ＧＷ−Ｕは、第１の認証要求メッセージ（ＵＥのＧＷ‐Ｔの認証情報）をＧＷ−Ｃに送信する。
【０１９１】
段階Ｓ４０６：ＧＷ−Ｃは、第１の認証要求メッセージを受信する。
【０１９２】
段階Ｓ４０７：ＧＷ−Ｃは、第２の認証要求メッセージ（ＵＥのＧＷ‐Ｔの認証情報のセッション識別子）をＡＡＡに送信する。
【０１９３】
段階Ｓ４０８：ＡＡＡは、第２の認証要求メッセージを受信する。
【０１９４】
段階Ｓ４０９：ＡＡＡは、第２の認証応答メッセージ（認証結果）をＧＷ−Ｃに送信する。
【０１９５】
段階Ｓ４１０：ＧＷ−Ｃは、第２の認証応答メッセージを受信する。
【０１９６】
段階Ｓ４１１：ＧＷ−Ｃは、第１の認証応答メッセージ（認証結果）をＧＷ−Ｕに送信する。
【０１９７】
段階Ｓ４１２：ＧＷ−Ｕは、第１の認証応答メッセージを受信する。
【０１９８】
段階Ｓ４１３：ＧＷ−Ｕは、セッション接続作成応答メッセージ（認証結果）をＵＥに送信する。
【０１９９】
段階Ｓ４１４：ＵＥは、セッション接続作成応答メッセージを受信する。
【０２００】
段階Ｓ４１５：認証結果が、認証が成功したというものである場合、ＧＷ−Ｃは、少なくとも１つのサービス課金および制御ポリシーをＧＷ−Ｕに送信する。
【０２０１】
具体的には、サービス課金および制御ポリシーは、アプリケーション識別子と、サービス識別子、レーティンググループ、ＱｏＳ等の情報との間の対応関係を含み、アプリケーション識別子と、課金および制御ポリシーとの間の対応関係を反映する。換言すると、特定のアプリケーションは、特定のポリシーを用いて、課金および制御される。
【０２０２】
段階Ｓ４１６：ＧＷ−Ｕは、少なくとも１つのサービス課金および制御ポリシーを受信する。
【０２０３】
段階Ｓ４１７：ＧＷ−Ｕは、少なくとも１つのサービス課金および制御ポリシーをＵＥに送信する。
【０２０４】
段階Ｓ４１８：ＵＥは、少なくとも１つのサービス課金および制御ポリシーを受信する。
【０２０５】
段階Ｓ４１９：ＵＥは、データサービスにアクセスする現在のアプリケーションのアプリケーション識別子を取得する。
【０２０６】
データサービスにアクセスする現在のアプリケーションは、ＵＥ上で実行中であり、且つ、ネットワークに接続する、またはデータトラフィックを使用する必要のあるアプリケーションであり、ソーシャルアプリケーション、ショッピングアプリケーション、オーディオアプリケーション、ビデオアプリケーション等が含まれてよい。
【０２０７】
段階Ｓ４２０：ＵＥは、現在のアプリケーションのアプリケーション識別子に対応する課金および制御ポリシーを求めて、少なくとも１つのサービス課金および制御ポリシーを検索する。
【０２０８】
段階Ｓ４２１：ＵＥは、データトラフィックに関する統計を収集し、見つかった課金および制御ポリシーに基づき、アクセス制御を実行する。
【０２０９】
具体的には、データトラフィックに関する統計を収集した後、ＵＥは、利用状況レポート要求メッセージをＧＷ−Ｕに定期的に送信し、利用状況レポート要求メッセージは、ＵＥの機能属性情報およびアプリケーションのトラフィック利用状況に関する統計を含む。利用状況レポート要求メッセージは、ＧＷ−Ｕに対し、ＵＥのためのオンラインまたはオフラインコール詳細記録を生成すること、および、利用状況レポート確認メッセージをフィードバックすることを要求するために用いられ、利用状況レポート確認メッセージは、ＧＷ−Ｕがアプリケーションのトラフィック利用状況に関する統計を確認したことを示すべく用いられる。アプリケーションのためのトラフィック利用状況に関する統計は、アプリケーションのためのトラフィック利用状況の統計結果、サービス識別子およびレーティンググループを含む。
【０２１０】
図８Ａ、図８Ｂおよび図８Ｃに示された実施形態３においては、ＧＷ−Ｕによって送信された少なくとも１つのサービス課金および制御ポリシーに基づき、ＵＥは、現在のアプリケーションのアプリケーション識別子に対応する課金および制御ポリシーを判断し、データトラフィックに関する統計を収集し、アクセス制御を実行し、その結果、ＵＥは、データトラフィックに関する統計を収集し、アクセス制御を実行し、これにより、ＵＥの参加レベルを上げ、ＵＥの処理能力を向上させる。
【０２１１】
図５Ａから図８Ｃに示された実施形態は、ゲートウェイユーザプレーンおよびゲートウェイ制御プレーンが分離して配置された場合を説明していることに留意されたい。ゲートウェイユーザプレーンおよびゲートウェイ制御プレーンが統合態様で配置される場合、ゲートウェイユーザプレーンとゲートウェイ制御プレーンとの間の対話処理は、統合態様で配置されたデバイスの内部操作であってよく、破線で示された部分が、概略的通信図に存在しなくてよい。
【０２１２】
図９は、本発明の一実施形態による別のユーザ機器の概略構造図である。図９に示されたユーザ機器５０１は、取得ユニット５０１１、確立ユニット５０１２、送信ユニット５０１３、受信ユニット５０１４および管理ユニット５０１５を含む。
【０２１３】
取得ユニット５０１１は、ゲートウェイユーザプレーンの通信アドレスを取得するように構成されている。
【０２１４】
確立ユニット５０１２は、通信アドレスを用いることによって、ゲートウェイユーザプレーンへの通信リンクを確立するように構成されている。
【０２１５】
送信ユニット５０１３は、通信リンクを用いることによって、セッション接続作成要求メッセージを、ゲートウェイユーザプレーンに送信するように構成されており、セッション接続作成要求メッセージは、ユーザ機器のゲートウェイ端末モジュールの認証情報を含み、ユーザ機器のゲートウェイ端末モジュールの認証情報は、ゲートウェイユーザプレーンによって、ゲートウェイ制御プレーンが、認証サーバに対し、ユーザ機器のゲートウェイ端末モジュールに認証を実行することを要求するようにトリガすべく用いられる。
【０２１６】
受信ユニット５０１４は、通信リンクを用いることによって、ゲートウェイユーザプレーンによって送信されたセッション接続作成応答メッセージを受信するように構成されており、セッション接続作成応答メッセージは、認証結果を含む。
【０２１７】
管理ユニット５０１５は、認証結果が、認証が成功したというものであるという場合、ゲートウェイユーザプレーンによって、通信リンクを用いて送信されたサービスポリシー情報に基づき、サービス管理を実行するように構成されている。
【０２１８】
取得ユニット５０１１は、図５Ａに示された実施形態１における段階Ｓ１０１を実行するように構成されており、確立ユニット５０１２は、図５Ａに示された実施形態１における段階Ｓ１０２を実行するように構成されており、送信ユニット５０１３は、図５Ａに示された実施形態１における段階Ｓ１０３を実行するように構成されており、受信ユニット５０１４は、図５Ｃに示された実施形態１における段階Ｓ１１４および段階Ｓ１１８を実行するように構成されており、管理ユニット５０１５は、図５Ｃに示された実施形態１における段階Ｓ１１９を実行するように構成されている、ことに留意されたい。取得ユニット５０１１、確立ユニット５０１２および管理ユニット５０１５は、図３に示されたユーザ機器のプロセッサ１０１１であってよい。送信ユニット５０１３および受信ユニット５０１４は、図３に示されたユーザ機器の送受信機１０１２であってよい。
【０２１９】
図１０は、本発明の一実施形態による別のゲートウェイユーザプレーンの概略構造図である。図１０に示されたゲートウェイユーザプレーン６０１は、受信ユニット６０１１および送信ユニット６０１２を含む。
【０２２０】
受信ユニット６０１１は、通信リンクを用いて、ユーザ機器によって送信されたセッション接続作成要求メッセージを受信するように構成されており、セッション接続作成要求メッセージは、ユーザ機器のゲートウェイ端末モジュールの認証情報を含み、通信リンクは、ユーザ機器によって、ゲートウェイユーザプレーンの取得された通信アドレスを用いて、ゲートウェイユーザプレーンに対し確立されたリンクである。
【０２２１】
送信ユニット６０１２は、認証要求メッセージをゲートウェイ制御プレーンに送信するように構成されており、認証要求メッセージは、ユーザ機器のゲートウェイ端末モジュールの認証情報を含み、認証要求メッセージは、ゲートウェイ制御プレーンが、認証サーバに対し、ユーザ機器のゲートウェイ端末モジュールに認証を実行することを要求するようにトリガすべく用いられる。
【０２２２】
受信ユニット６０１１は、さらに、ゲートウェイ制御プレーンによって送信された認証応答メッセージを受信するように構成されている。
【０２２３】
送信ユニット６０１２は、さらに、通信リンクを用いることによって、セッション接続作成応答メッセージをユーザ機器に送信するように構成されており、認証応答メッセージおよびセッション接続作成応答メッセージは、認証結果を含む。
【０２２４】
受信ユニット６０１１は、さらに、認証結果が認証が成功したというものである場合、ゲートウェイ制御プレーンによって送信されたサービスポリシー情報を受信するように構成されている。
【０２２５】
送信ユニット６０１２は、さらに、通信リンクを用いることによって、サービスポリシー情報をユーザ機器に送信するように構成されており、サービスポリシー情報は、サービスポリシー情報に基づき、サービス管理を実行すべく、ユーザ機器によって用いられる。
【０２２６】
受信ユニット６０１１は、図５Ａ、図５Ｂおよび図５Ｃに示された実施形態１の段階Ｓ１０４、Ｓ１１２およびＳ１１６を実行するように構成されており、送信ユニット６０１２は、図５Ａおよび図５Ｃに示された、実施形態１における段階Ｓ１０５、Ｓ１１３およびＳ１１７を実行するように構成されている、ことに留意されたい。受信ユニット６０１１および送信ユニット６０１２は、図４に示されたゲートウェイユーザプレーンの送受信機１０２２であってよい。
【０２２７】
本発明の実施形態における開示内容と組み合わせて説明した方法またはアルゴリズムの段階は、ハードウェアによって実装されてよく、または、プロセッサによってソフトウェア命令を実行することで実装されてよい。ソフトウェア命令は、対応するソフトウェアモジュールを含んでよい。ソフトウェアモジュールは、ランダムアクセスメモリ（Random Access Memory, RAM）、フラッシュメモリ、リードオンリメモリ（Read Only Memory, ROM）、消去可能プログラマブルリードオンリメモリ（Erasable Programmable ROM, EPROM）、電気的消去可能プログラマブルリードオンリメモリ（Electrically EPROM, EEPROM）、レジスタ、ハードディスク、リムーバブルハードディスク、コンパクトディスクリードオンリメモリ（CD-ROM）または当該技術分野で周知の任意の他の形態の記憶媒体に格納されてよい。例えば、記憶媒体は、プロセッサが記憶媒体から情報を読み取りできるように、または、情報を記憶媒体に書き込みできるように、プロセッサに連結される。もちろん、記憶媒体は、代替的にプロセッサのコンポーネントであってよい。プロセッサおよび記憶媒体は、ＡＳＩＣに配置されてよい。また、ＡＳＩＣは、第１の管理ユニットまたは第２の管理ユニットに配置されてよい。もちろん、プロセッサおよび記憶媒体は、代替的に、第１の管理ユニットまたは第２の管理ユニット内に、個別のコンポーネントとして存在してよい。
【０２２８】
当業者は、上述の１または複数の例において、本発明の実施形態で説明した機能は、ハードウェア、ソフトウェア、ファームウェアまたはこれらの任意の組み合わせによって実装されてよいことを認識されたい。本発明がソフトウェアによって実装される場合、上述の機能はコンピュータ可読媒体内に格納されてよく、または、コンピュータ可読媒体内の１または複数の命令若しくはコードとして送信されてよい。コンピュータ可読媒体は、コンピュータ記憶媒体および通信媒体を含み、通信媒体は、コンピュータプログラムが、ある場所から別の場所へと送信可能にする任意の媒体を含む。記憶媒体は、汎用または専用コンピュータにアクセス可能な任意の利用可能な媒体であってよい。
【０２２９】
上述の特定の実装において、本発明の実施形態に係る目的、技術的解決手段および有利な効果は、さらに詳細に説明されている。上述の説明は、単に本発明の実施形態の特定の実装に過ぎず、本発明の実施形態の保護範囲を限定する意図はないことを理解されたい。本発明の実施形態に係る技術的解決手段に基づきなされる任意の変更、均等な置換または改善は、本発明の実施形態に係る保護範囲に属するものとする。
（項目１）
ユーザ機器によって、ゲートウェイユーザプレーンの通信アドレスを取得し、前記通信アドレスを用いることにより、前記ゲートウェイユーザプレーンへの通信リンクを確立する段階と、
前記ユーザ機器によって、前記通信リンクを用いることにより、前記ゲートウェイユーザプレーンへセッション接続作成要求メッセージを送信する段階であって、前記セッション接続作成要求メッセージは、前記ユーザ機器のゲートウェイ端末モジュールの認証情報を含み、前記ユーザ機器の前記ゲートウェイ端末モジュールの前記認証情報は、ゲートウェイ制御プレーンが、認証サーバに対し、前記ユーザ機器の前記ゲートウェイ端末モジュールへの認証の実行を要求することをトリガすべく、前記ゲートウェイユーザプレーンによって用いられる、段階と、
前記ユーザ機器によって、前記通信リンクを用いることにより、前記ゲートウェイユーザプレーンによって送信されたセッション接続作成応答メッセージを受信する段階であって、前記セッション接続作成応答メッセージは、認証結果を含む、段階と、
前記認証結果が、前記認証が成功したというものである場合、前記ユーザ機器によって、前記ゲートウェイユーザプレーンによって前記通信リンクを用いることにより送信されたサービスポリシー情報に基づき、サービス管理を実行する段階と、を備える、サービス管理方法。
（項目２）
前記サービスポリシー情報は、少なくとも１つの現在のネットワークスライス接続ポリシーを含み、前記少なくとも１つの現在のネットワークスライス接続ポリシーは、少なくとも１つの元のネットワークスライス接続ポリシーまたは少なくとも１つの更新されたネットワークスライス接続ポリシーであり、ネットワークスライス接続ポリシーは、アプリケーション識別子と、ネットワークスライスとの間のセッション接続関係を示すべく用いられ、
前記ユーザ機器によって、前記ゲートウェイユーザプレーンによって前記通信リンクを用いることにより送信されたサービスポリシー情報に基づき、サービス管理を前記実行する段階は、
前記ユーザ機器によって、現在のアプリケーションのアプリケーション識別子を取得する段階と、
前記ユーザ機器によって、前記現在のアプリケーションの前記アプリケーション識別子に対応するネットワークスライスを求めて、前記ゲートウェイユーザプレーンによって前記通信リンクを用いることにより送信された前記少なくとも１つの現在のネットワークスライス接続ポリシーを検索する段階と、
前記ユーザ機器によって、セッション接続を確立し、見つかった前記ネットワークスライスに基づき、サービスアクセスを実行する段階と、を含む、項目１に記載の方法。
（項目３）
前記少なくとも１つの現在のネットワークスライス接続ポリシーは、前記少なくとも１つの更新されたネットワークスライス接続ポリシーであり、
前記ユーザ機器によって、前記ゲートウェイユーザプレーンによって前記通信リンクを用いることにより送信されたサービスポリシー情報に基づき、サービス管理を前記実行する段階の前に、前記方法は、さらに、
前記ユーザ機器によって、前記通信リンクを用いることにより、セッション接続更新応答メッセージを前記ゲートウェイユーザプレーンに送信する段階を含み、前記セッション接続更新応答メッセージは、前記ユーザ機器が、前記少なくとも１つの元のネットワークスライス接続ポリシーを更新したことを示すべく用いられる、項目２に記載の方法。
（項目４）
前記サービスポリシー情報は、少なくとも１つのサービス課金および制御ポリシーを含み、サービス課金および制御ポリシーは、アプリケーション識別子と、課金および制御ポリシーとの間の対応関係を示すべく用いられ、
前記ユーザ機器によって、前記ゲートウェイユーザプレーンによって前記通信リンクを用いることにより送信されたサービスポリシー情報に基づき、サービス管理を前記実行する段階は、
前記ユーザ機器によって、データサービスにアクセスする現在のアプリケーションのアプリケーション識別子を取得する段階と、
前記ユーザ機器によって、前記現在のアプリケーションの前記アプリケーション識別子に対応する課金および制御ポリシーを求めて、前記ゲートウェイユーザプレーンによって前記通信リンクを用いることにより送信された前記少なくとも１つのサービス課金および制御ポリシーを検索する段階と、
前記ユーザ機器によって、データトラフィックに関する統計を収集し、見つかった前記課金および制御ポリシーに基づき、アクセス制御を実行する段階と、を含む、項目１に記載の方法。
（項目５）
前記ユーザ機器によって、前記ゲートウェイユーザプレーンによって、前記通信リンクを用いることにより送信されたサービスポリシー情報に基づき、サービス管理を前記実行する段階の後、前記方法は、さらに、
前記ユーザ機器によって、前記通信リンクを用いることにより、利用状況レポート要求メッセージを前記ゲートウェイユーザプレーンに定期的に送信する段階であって、前記利用状況レポート要求メッセージは、前記ユーザ機器の機能属性情報と、アプリケーションのトラフィック利用状況に関する統計を含み、前記利用状況レポート要求メッセージは、前記ゲートウェイユーザプレーンに対し、オンラインまたはオフラインコール詳細記録を生成すること、および、利用状況レポート確認メッセージをフィードバックすることを要求すべく用いられ、前記利用状況レポート確認メッセージは、前記ゲートウェイユーザプレーンが、アプリケーションのトラフィック利用状況に関する前記統計を確認したことを示すべく用いられる、段階を備える、項目４に記載の方法。
（項目６）
前記ユーザ機器によって、ゲートウェイユーザプレーンの通信アドレスを前記取得する段階は、
前記ユーザ機器によって、アクセスネットワークゲートウェイによって送信されたアタッチ応答メッセージに基づき、前記ゲートウェイユーザプレーンの前記通信アドレスを取得する段階であって、前記アタッチ応答メッセージは、前記ゲートウェイユーザプレーンの前記通信アドレスを含む、段階、または、
前記ユーザ機器によって、前記ユーザ機器の事前構成情報に基づき、前記ゲートウェイユーザプレーンの前記通信アドレスを取得する段階、または、
前記ユーザ機器によって、ユーザによって選択された構成態様における前記ゲートウェイユーザプレーンの前記通信アドレスを取得する段階、を含む、項目１に記載の方法。
（項目７）
ユーザ機器によって、前記通信アドレスを用いることにより、前記ゲートウェイユーザプレーンへの通信リンクを前記確立する段階の前に、前記方法は、さらに、
前記ユーザ機器によって、前記ユーザ機器の前記ゲートウェイ端末モジュール、前記ユーザ機器の権利、およびネットワーク稼働環境が、事前設定条件を満たすかどうかを検出する段階と、
検出結果が肯定的である場合、前記ユーザ機器によって、前記通信アドレスを用いることにより、前記ゲートウェイユーザプレーンへの通信リンクを確立する前記段階を実行する段階と、を含む、項目１に記載の方法。
（項目８）
前記セッション接続作成要求メッセージは、さらに、前記ユーザ機器の前記機能属性情報を含み、前記ユーザ機器の前記機能属性情報は、ＭＳＩＳＤＮ番号および国際移動体加入者識別番号ＩＭＳＩを含む、項目１から７のいずれか一項に記載の方法。
（項目９）
前記セッション接続作成応答メッセージは、さらに、前記ユーザ機器の前記機能属性情報を含む、項目１から８のいずれか一項に記載の方法。
（項目１０）
前記ユーザプレーンデバイスの前記ゲートウェイ端末モジュールの前記認証情報、前記認証結果、前記サービスポリシー情報、前記ユーザ機器の前記機能属性情報、およびアプリケーションのトラフィック利用状況に関する前記統計は、前記通信リンク上で暗号化態様で送信される、項目１から９のいずれか一項に記載の方法。
（項目１１）
ゲートウェイユーザプレーンによって、通信リンクを用いることにより、ユーザ機器によって送信されたセッション接続作成要求メッセージを受信する段階であって、前記セッション接続作成要求メッセージは、前記ユーザ機器のゲートウェイ端末モジュールの認証情報を含み、前記通信リンクは、前記ユーザ機器によって、前記ゲートウェイユーザプレーンの取得された通信アドレスを用いることにより、前記ゲートウェイユーザプレーンへ確立されたリンクである、段階と、
前記ゲートウェイユーザプレーンによって、認証要求メッセージをゲートウェイ制御プレーンに送信する段階であって、前記認証要求メッセージは、前記ユーザ機器の前記ゲートウェイ端末モジュールの前記認証情報を含み、前記認証要求メッセージは、前記ゲートウェイ制御プレーンが、認証サーバに対し、前記ユーザ機器の前記ゲートウェイ端末モジュールへの認証の実行を要求することをトリガすべく用いられる、段階と、
前記ゲートウェイユーザプレーンによって、前記ゲートウェイ制御プレーンによって送信された認証応答メッセージを受信し、前記通信リンクを用いることにより、セッション接続作成応答メッセージを前記ユーザ機器に送信する段階であって、前記認証応答メッセージおよび前記セッション接続作成応答メッセージは、認証結果を含む、段階と、
前記認証結果が前記認証が成功したというものである場合、前記ゲートウェイユーザプレーンによって、前記ゲートウェイ制御プレーンにより送信されたサービスポリシー情報を受信し、前記通信リンクも用いることにより、前記サービスポリシー情報を前記ユーザ機器へ送信する段階であって、前記サービスポリシー情報は、前記ユーザ機器によって、前記サービスポリシー情報に基づき、サービス管理を実行すべく用いられる、段階と、を備える、サービス管理方法。
（項目１２）
前記サービスポリシー情報は、少なくとも１つの現在のネットワークスライス接続ポリシーを含み、前記少なくとも１つの現在のネットワークスライス接続ポリシーは、少なくとも１つの元のネットワークスライス接続ポリシーまたは少なくとも１つの更新されたネットワークスライス接続ポリシーであり、ネットワークスライス接続ポリシーは、アプリケーション識別子と、ネットワークスライスとの間のセッション接続関係を示すべく用いられる、項目１１に記載の方法。
（項目１３）
前記少なくとも１つの現在のネットワークスライス接続ポリシーは、前記少なくとも１つの更新されたネットワークスライス接続ポリシーであり、
前記方法は、さらに、
前記ゲートウェイユーザプレーンによって、前記通信リンクを用いることにより、前記ユーザ機器によって送信されたセッション接続更新応答メッセージを受信する段階であって、前記セッション接続更新応答メッセージは、前記ユーザ機器が前記少なくとも１つの元のネットワークスライス接続ポリシーを更新したことを示すべく用いられる、段階を備える、項目１２に記載の方法。
（項目１４）
前記サービスポリシー情報は、少なくとも１つのサービス課金および制御ポリシーを含み、サービス課金および制御ポリシーは、アプリケーション識別子と、課金および制御ポリシーとの間の対応関係を示すべく用いられる、項目１１に記載の方法。
（項目１５）
前記方法は、さらに、
前記ゲートウェイユーザプレーンによって、前記通信リンクを用いることにより、前記ユーザ機器によって定期的に送信される利用状況レポート要求メッセージを受信する段階であって、前記利用状況レポート要求メッセージは、前記ユーザ機器の機能属性情報と、アプリケーションのトラフィック利用状況に関する統計を含む、段階と、
前記ゲートウェイユーザプレーンによって、前記利用状況レポート要求メッセージに基づき、オンラインまたはオフラインコール詳細記録を生成し、前記通信リンクを用いることにより、利用状況レポート確認メッセージを前記ユーザ機器にフィードバックする段階であって、前記利用状況レポート確認メッセージは、前記ゲートウェイユーザプレーンが、アプリケーションのトラフィック利用状況に関する前記統計を確認したことを示すべく用いられる、段階と、を備える、項目１４に記載の方法。
（項目１６）
前記セッション接続作成要求メッセージは、さらに、前記ユーザ機器の前記機能属性情報を含み、前記ユーザ機器の前記機能属性情報は、ＭＳＩＳＤＮおよびＩＭＳＩを含む、項目１１から１５のいずれか一項に記載の方法。
（項目１７）
前記認証応答メッセージおよび前記接続セッション作成応答メッセージは、さらに、前記ユーザ機器の前記機能属性情報を含む、項目１１から１６のいずれか一項に記載の方法。
（項目１８）
前記ユーザプレーンデバイスの前記ゲートウェイ端末モジュールの前記認証情報、前記認証結果、前記サービスポリシー情報、前記ユーザ機器の前記機能属性情報、およびアプリケーションのトラフィック利用状況に関する前記統計は、前記通信リンク上で暗号化態様で送信される、項目１１から１７のいずれか一項に記載の方法。
（項目１９）
プロセッサおよび送受信機を備えるユーザ機器であって、
前記プロセッサは、ゲートウェイユーザプレーンの通信アドレスを取得し、前記通信アドレスを用いることにより、前記ゲートウェイユーザプレーンへの通信リンクを確立するように構成されており、
前記送受信機は、前記通信リンクを用いることにより、セッション接続作成要求メッセージを前記ゲートウェイユーザプレーンに送信するように構成されており、前記セッション接続作成要求メッセージは、前記ユーザ機器のゲートウェイ端末モジュールの認証情報を含み、前記ユーザ機器の前記ゲートウェイ端末モジュールの前記認証情報は、ゲートウェイ制御プレーンが、認証サーバに対し、前記ユーザ機器の前記ゲートウェイ端末モジュールへの認証の実行を要求することをトリガすべく、前記ゲートウェイユーザプレーンによって用いられ、
前記送受信機は、さらに、前記通信リンクを用いることにより、前記ゲートウェイユーザプレーンによって送信されたセッション接続作成応答メッセージを受信するように構成されており、前記セッション接続作成応答メッセージは、認証結果を含み、
前記認証結果が前記認証が成功したというものである場合、前記プロセッサは、さらに、前記ゲートウェイユーザプレーンによって前記通信リンクを用いることにより送信されたサービスポリシー情報に基づき、サービス管理を実行するように構成されている、ユーザ機器。
（項目２０）
前記サービスポリシー情報は、少なくとも１つの現在のネットワークスライス接続ポリシーを含み、前記少なくとも１つの現在のネットワークスライス接続ポリシーは、少なくとも１つの元のネットワークスライス接続ポリシーまたは少なくとも１つの更新されたネットワークスライス接続ポリシーであり、ネットワークスライス接続ポリシーは、アプリケーション識別子と、ネットワークスライスとの間のセッション接続関係を示すべく用いられ、
前記プロセッサは、具体的に、現在のアプリケーションのアプリケーション識別子を取得し、前記現在のアプリケーションの前記アプリケーション識別子に対応するネットワークスライスを求めて、前記ゲートウェイユーザプレーンによって前記通信リンクを用いることにより送信された前記少なくとも１つの現在のネットワークスライス接続ポリシーを検索し、および、セッション接続を確立し、見つかった前記ネットワークスライスに基づき、サービスアクセスを実行する、ように構成されている、項目１９に記載のユーザ機器。
（項目２１）
前記少なくとも１つの現在のネットワークスライス接続ポリシーは、前記少なくとも１つの更新されたネットワークスライス接続ポリシーであり、
前記送受信機は、さらに、前記通信リンクを用いることにより、セッション接続更新応答メッセージを前記ゲートウェイユーザプレーンに送信するように構成されており、前記セッション接続更新応答メッセージは、前記ユーザ機器が前記少なくとも１つの元のネットワークスライス接続ポリシーを更新したことを示すべく用いられる、項目２０に記載のユーザ機器。
（項目２２）
前記サービスポリシー情報は、少なくとも１つのサービス課金および制御ポリシーを含み、サービス課金および制御ポリシーは、アプリケーション識別子と、課金および制御ポリシーとの間の対応関係を示すべく用いられ、
前記プロセッサは、具体的に、データサービスにアクセスする現在のアプリケーションのアプリケーション識別子を取得し、前記現在のアプリケーションの前記アプリケーション識別子に対応する課金および制御ポリシーを求めて、前記ゲートウェイユーザプレーンによって前記通信リンクを用いることにより送信された前記少なくとも１つのサービス課金および制御ポリシーを検索し、および、データトラフィックに関する統計を収集し、見つかった前記課金および制御ポリシーに基づき、アクセス制御を実行する、ように構成されている、項目１９に記載のユーザ機器。
（項目２３）
前記送受信機は、さらに、前記通信リンクを用いることにより、利用状況レポート要求メッセージを、前記ゲートウェイユーザプレーンに定期的に送信するように構成されており、前記利用状況レポート要求メッセージは、前記ユーザ機器の機能属性情報と、アプリケーションのトラフィック利用状況に関する統計を含み、
前記利用状況レポート要求メッセージは、前記ゲートウェイユーザプレーンに、オンラインまたはオフラインコール詳細記録を生成すること、および、利用状況レポート確認メッセージをフィードバックすることを要求すべく用いられ、前記利用状況レポート確認メッセージは、前記ゲートウェイユーザプレーンが、アプリケーションのトラフィック利用状況に関する前記統計を確認したことを示すべく用いられる、項目２２に記載のユーザ機器。
（項目２４）
前記プロセッサは、具体的に、
アクセスネットワークゲートウェイによって送信されたアタッチ応答メッセージに基づき、前記ゲートウェイユーザプレーンの前記通信アドレスを取得するように構成されており、前記アタッチ応答メッセージは、前記ゲートウェイユーザプレーンの前記通信アドレスを含んでいる、または、
前記ユーザ機器の事前構成情報に基づき、前記ゲートウェイユーザプレーンの前記通信アドレスを取得するように構成されている、または、
ユーザによって選択された構成態様における前記ゲートウェイユーザプレーンの前記通信アドレスを取得するように構成されている、項目１９に記載のユーザ機器。
（項目２５）
前記プロセッサは、さらに、前記ユーザ機器の前記ゲートウェイ端末モジュール、前記ユーザ機器の権利、およびネットワーク稼働環境が、事前設定条件を満たすかどうかを検出するように構成されており、
検出結果が肯定的である場合、前記送受信機は、前記通信アドレスを用いることにより、前記ゲートウェイユーザプレーンへの通信リンクを前記確立する段階を実行する、項目１９に記載のユーザ機器。
（項目２６）
前記セッション接続作成要求メッセージは、さらに、前記ユーザ機器の前記機能属性情報を含み、前記ユーザ機器の前記機能属性情報は、ＭＳＩＳＤＮ番号および国際移動体加入者識別番号ＩＭＳＩを含む、項目１９から２５のいずれか一項に記載のユーザ機器。
（項目２７）
前記接続セッション作成応答メッセージは、さらに、前記ユーザ機器の前記機能属性情報を含む、項目１９から２６のいずれか一項に記載のユーザ機器。
（項目２８）
前記ユーザプレーンデバイスの前記ゲートウェイ端末モジュールの前記認証情報、前記認証結果、前記サービスポリシー情報、前記ユーザ機器の前記機能属性情報、およびアプリケーションのトラフィック利用状況に関する前記統計は、前記通信リンク上で暗号化態様で送信される、項目１９から２７のいずれか一項に記載のユーザ機器。
（項目２９）
プロセッサおよび送受信機を備えるゲートウェイユーザプレーンであって、
前記送受信機は、通信リンクを用いることにより、ユーザ機器によって送信されたセッション接続作成要求メッセージを受信するように構成されており、前記セッション接続作成要求メッセージは、前記ユーザ機器のゲートウェイ端末モジュールの認証情報を含み、前記通信リンクは、前記ユーザ機器によって、前記ゲートウェイユーザプレーンの取得された通信アドレスを用いることにより、前記ゲートウェイユーザプレーンへ確立されたリンクであり、
前記送受信機は、さらに、認証要求メッセージをゲートウェイ制御プレーンに送信するように構成されており、前記認証要求メッセージは、前記ユーザ機器の前記ゲートウェイ端末モジュールの前記認証情報を含み、前記認証要求メッセージは、前記ゲートウェイ制御プレーンが、認証サーバに対し、前記ユーザ機器の前記ゲートウェイ端末モジュールへの認証の実行を要求することをトリガすべく用いられ、
前記送受信機は、さらに、前記ゲートウェイ制御プレーンによって送信された認証応答メッセージを受信し、前記通信リンクを用いることにより、セッション接続作成応答メッセージを前記ユーザ機器に送信するように構成されており、前記認証応答メッセージおよび前記セッション接続作成応答メッセージは、認証結果を含み、
前記認証結果が前記認証が成功したというものである場合、前記送受信機は、さらに、前記ゲートウェイ制御プレーンにより送信されたサービスポリシー情報を受信し、前記通信リンクを用いることにより、前記サービスポリシー情報を前記ユーザ機器へ送信するように構成されており、前記サービスポリシー情報は、前記ユーザ機器によって、前記サービスポリシー情報に基づき、サービス管理を実行すべく用いられる、ゲートウェイユーザプレーン。
（項目３０）
前記サービスポリシー情報は、少なくとも１つの現在のネットワークスライス接続ポリシーを含み、前記少なくとも１つの現在のネットワークスライス接続ポリシーは、少なくとも１つの元のネットワークスライス接続ポリシーまたは少なくとも１つの更新されたネットワークスライス接続ポリシーであり、ネットワークスライス接続ポリシーは、アプリケーション識別子と、ネットワークスライスとの間のセッション接続関係を示すべく用いられる、項目２９に記載のゲートウェイユーザプレーン。
（項目３１）
前記少なくとも１つの現在のネットワークスライス接続ポリシーは、前記少なくとも１つの更新されたネットワークスライス接続ポリシーであり、
前記送受信機は、さらに、前記通信リンクを用いることにより、前記ユーザ機器によって送信されたセッション接続更新応答メッセージを受信するように構成されており、前記セッション接続更新応答メッセージは、前記ユーザ機器が前記少なくとも１つの元のネットワークスライス接続ポリシーを更新したことを示すべく用いられる、項目３０に記載のゲートウェイユーザプレーン。
（項目３２）
前記サービスポリシー情報は、少なくとも１つのサービス課金および制御ポリシーを含み、サービス課金および制御ポリシーは、アプリケーション識別子と、課金および制御ポリシーとの間の対応関係を示すべく用いられる、項目２９に記載のゲートウェイユーザプレーン。
（項目３３）
前記送受信機は、さらに、前記通信リンクを用いることにより、前記ユーザ機器によって定期的に送信される利用状況レポート要求メッセージを受信するように構成されており、前記利用状況レポート要求メッセージは、前記ユーザ機器の機能属性情報およびアプリケーションのトラフィック利用状況に関する統計を含み、
前記プロセッサは、前記利用状況レポート要求メッセージに基づき、オンラインまたはオフラインコール詳細記録を生成し、前記通信リンクを用いることにより、前記ユーザ機器へ利用状況レポート確認メッセージをフィードバックするように構成されており、前記利用状況レポート確認メッセージは、前記ゲートウェイユーザプレーンが、アプリケーションのトラフィック利用状況に関する前記統計を確認したことを示すべく用いられる、項目３２に記載のゲートウェイユーザプレーン。
（項目３４）
前記セッション接続作成要求メッセージは、さらに、前記ユーザ機器の前記機能属性情報を含み、前記ユーザ機器の前記機能属性情報は、ＭＳＩＳＤＮおよびＩＭＳＩを含む、項目２９から３３のいずれか一項に記載のゲートウェイユーザプレーン。
（項目３５）
前記認証応答メッセージおよび前記接続セッション作成応答メッセージは、さらに、前記ユーザ機器の前記機能属性情報を含む、項目２９から３４のいずれか一項に記載のゲートウェイユーザプレーン。
（項目３６）
前記ユーザプレーンデバイスの前記ゲートウェイ端末モジュールの前記認証情報、前記認証結果、前記サービスポリシー情報、前記ユーザ機器の前記機能属性情報、およびアプリケーションのトラフィック利用状況に関する前記統計は、前記通信リンク上で暗号化態様で送信される、項目２９から３５のいずれか一項に記載のゲートウェイユーザプレーン。
【図１ａ】
0006911263.tif 000002
【図１ｂ】
0006911263.tif 000003
【図２】
0006911263.tif 000004
【図３】
0006911263.tif 000005
【図４】
0006911263.tif 000006
【図５Ａ】
0006911263.tif 000007
【図５Ｂ】
0006911263.tif 000008
【図５Ｃ】
0006911263.tif 000009
【図６Ａ】
0006911263.tif 000010
【図６Ｂ】
0006911263.tif 000011
【図６Ｃ】
0006911263.tif 000012
【図７】
0006911263.tif 000013
【図８Ａ】
0006911263.tif 000014
【図８Ｂ】
0006911263.tif 000015
【図８Ｃ】
0006911263.tif 000016
【図９】
0006911263.tif 000017
【図１０】
0006911263.tif 000018